(57)【要約】【課題】映像提示装置の視聴者が映像提示装置に表示されている商品に対して興味指示を入力した場合、速やかにその商品の商品情報をこの視聴者に提示する。【解決手段】入力通知を用いて視聴者が興味を示した商品を特定し、特定による特定結果を用いて、特定された商品に対して興味を示した視聴者数を計数し、計数により計数された視聴者数に応じた商品提供者の特定された商品に対する提供価格を取得し、提供価格を含む商品提供者情報を登録し、登録された商品について提供を希望する１以上の商品提供者のそれぞれの商品提供者情報を用いて、特定された商品を視聴者に提供する１の商品提供者を選択し、選択された１の商品提供者の商品提供者情報を特定された商品の商品情報と関連付けて、視聴者の端末装置に提示させる。選択では、特定された商品の提供価格と視聴者数に基づき、１の商品提供者を選択する。【選択図】図１
2015135670.tif 000002
【特許請求の範囲】
【請求項１】
放送波を取得して映像を提示する映像提示装置の視聴者に、情報を提供する情報提供システムにおける情報提供方法であって、
視聴者が興味を示す商品情報を含む映像が映像提示装置に提示された際に前記視聴者により入力された興味指示を示す入力通知を受信し、
前記入力通知を用いて前記視聴者が興味を示した商品を特定し、
前記特定による特定結果を用いて、前記特定された商品に対して興味を示した視聴者数を計数し、
前記計数により計数された視聴者数に応じた商品提供者の前記特定された商品に対する提供価格を取得し、前記提供価格を含む商品提供者情報を登録し、
前記特定された商品について提供を希望する１以上の商品提供者のそれぞれの商品提供者情報を用いて、前記特定された商品を前記視聴者に提供する１の商品提供者を選択し、
前記選択された１の商品提供者の商品提供者情報を前記特定された商品の前記商品情報と関連付けて、前記視聴者の端末装置に提示させ、
前記選択では、前記特定された商品の提供価格と視聴者数に基づき、前記１の商品提供者を選択する情報提供方法。
【請求項２】
前記選択では、前記特定された商品を提供する１以上の商品提供者のうち、最も安い提供価格で提供する１の商品提供者を選択する請求項１に記載の情報提供方法。
【請求項３】
前記特定された商品に対して、前記計数された視聴者数を各商品提供者のサーバに提示させる請求項１又は２記載の情報提供方法。
【請求項４】
前記１以上の商品提供者の現実空間での商品提供場所を示す位置情報と前記１以上の商品提供者の商品提供者情報とが関連付けられており、
前記映像提示装置又は前記視聴者の現実空間での位置を特定し、
前記選択では、前記特定した位置からの距離が一定の距離範囲内にある商品提供場所の商品提供者を前記商品提供者情報を用いて抽出し、前記抽出した商品提供者の中から前記１の商品提供者を選択する請求項１〜３のいずれかに記載の情報提供方法。
【請求項５】
前記受信した入力通知は、更に前記視聴者が入力した前記商品提供場所までの距離範囲を含み、
前記選択では、前記距離範囲内の前記商品提供者を前記商品提供者情報を用いて抽出する請求項４記載の情報提供方法。
【請求項６】
前記視聴者の端末装置は、前記映像提示装置であり、
前記商品提供者情報は、前記商品提供者が前記商品を前記視聴者に購入させる商品提供サイトの通信ネットワーク上での位置を示す位置情報を含み、
前記提示では、前記選択された１の商品提供者の商品提供者情報を前記特定された商品の前記商品情報と関連付けて前記映像提示装置に提示させるための提示情報を送信し、前記映像提示装置が、前記受信した提示情報に含まれる位置情報を用いて、前記商品提供サイトにアクセスする請求項１〜３のいずれかに記載の情報提供方法。
【請求項７】
前記視聴者の端末装置は、ナビゲーション装置であり、
前記商品提供者情報は、前記商品提供者の現実空間での商品提供場所を示す位置情報を含み、
前記提示では、前記選択された１の商品提供者の商品提供者情報を前記特定された商品の前記商品情報と関連付けてナビゲーション装置に提示させるための提示情報を送信し、前記ナビゲーション装置が前記提示情報に含まれる位置情報が示す現実空間の位置を目的地として設定する請求項１〜５のいずれかに記載の情報提供方法。
【請求項８】
前記提供価格は、各商品に対して興味を示した視聴者数に応じて異なる値を含み、
前記選択では、前記計数した視聴者数に対応する提供価格が最安の提供価格を示す商品提供者を、前記１の商品提供者として選択する請求項３記載の情報提供方法。
【請求項９】
前記情報提供方法は、更に、
１以上のチャンネルの放送波を常時受信し、
前記特定では、前記興味指示が入力された際に前記映像提示装置が受信している放送波のチャンネル情報を情報処理装置が取得し、前記取得したチャンネル情報と前記受信した放送波と、前記興味指示が入力された際に前記映像提示装置に提示されている映像とを用いて、前記視聴者が興味を示す商品を特定する請求項１〜８のいずれかに記載の情報提供方法。
【請求項１０】
視聴者が興味を示す商品情報を含む映像が映像提示装置に提示された際に前記視聴者により入力された興味指示を前記映像提示装置または前記端末装置が受け付け、
前記興味指示を受け付けた前記映像提示装置または前記端末装置から前記入力通知を受信する、
請求項１に記載の情報提供方法。
【請求項１１】
放送波を取得して映像を提示する映像提示装置の視聴者に、情報を提供する情報提供システムに用いられる端末装置であって、
視聴者が興味を示す商品情報を含む映像が提示された際に前記視聴者により入力される興味指示を受け付ける操作部と、
前記興味指示の入力通知を情報処理装置に送信する送信部と、
前記視聴者が興味を示した商品の商品情報と、前記商品を提供する１の商品提供者の商品提供者情報とを前記情報処理装置から受信する受信部と、
前記受信部により受信された商品情報及び前記商品提供者情報を関連付けて表示部に表示させる表示処理部とを備える端末装置。
【請求項１２】
前記情報処理装置は、前記映像提示装置が受信している放送波のチャンネル情報を前記映像提示装置から通信ネットワークを介して取得し、
前記端末装置は、前記情報処理装置と前記通信ネットワークを介して接続され、
前記受信部は、前記映像提示装置が受信しているチャンネルのチャンネル情報を前記情報処理装置から受信し、
前記送信部は、前記受信されたチャンネル情報を前記入力通知に含ませて前記情報処理装置に送信する請求項１１記載の端末装置。
【請求項１３】
放送波を取得して映像を提示する映像提示装置の視聴者に、情報を提供する情報処理装置を備える情報提供システムに用いる端末装置の制御方法であって、
前記端末装置のコンピュータに対して、
視聴者が興味を示す商品情報を含む映像が提示された際に前記視聴者により入力される興味指示を受け付ける処理と、
前記興味指示を示す入力通知を前記情報処理装置に送信する処理と、
前記視聴者が興味を示した商品の商品情報と、前記商品を提供する１の商品提供者の商品提供者情報とを前記情報処理装置から受信する処理と、
前記受信された商品情報及び前記商品提供者情報を関連付けて表示部に表示させる処理とを実行させる制御方法。
【請求項１４】
放送波を取得して映像を提示する映像提示装置の視聴者に、情報を提供する情報処理装置を備える情報提供システムに用いる端末装置に実行させるコンピュータ読み取り可能なプログラムであって、
前記端末装置のコンピュータに対して、
視聴者が興味を示す商品情報を含む映像が提示された際に前記視聴者により入力される興味指示を受け付ける処理と、
前記興味指示の入力通知を前記情報処理装置に送信する処理と、
前記視聴者が興味を示した商品の商品情報と、前記商品を提供する１の商品提供者の商品提供者情報とを前記情報処理装置から受信する処理と、
前記受信された商品情報及び前記商品提供者情報を関連付けて表示部に表示させる処理とを実行させるプログラム。
【請求項１５】
放送波を取得して映像を提示する映像提示装置の視聴者に、情報を提供する情報処理装置と端末装置を備える情報提供システムであって、
前記情報処理装置は、
視聴者が興味を示す商品情報を含む映像が映像提示装置に提示された際に前記視聴者により入力された興味指示を示す入力通知を受信し、
前記入力通知を用いて前記視聴者が興味を示した商品を特定し、
前記特定による特定結果を用いて、前記特定された商品に対して興味を示した視聴者数を計数し、
前記計数により計数された視聴者数に応じた商品提供者の前記特定された商品に対する提供価格を取得し、前記提供価格を含む商品提供者情報を登録し、
前記特定された商品について提供を希望する１以上の商品提供者のそれぞれの商品提供者情報を用いて、前記特定された商品を前記視聴者に提供する１の商品提供者を選択し、
前記選択では、更に前記特定された商品の提供価格と視聴者数に基づき、前記１の商品提供者を選択し、
前記端末装置は、
前記選択された１の商品提供者の商品提供者情報を前記特定された商品の前記商品情報と関連付けて、提示する、
情報提供システム。
【発明の詳細な説明】
【技術分野】
【０００１】
本開示は、映像提示装置の視聴者に情報を提供する技術に関するものである。
【背景技術】
【０００２】
近年、テレビ等の映像提示装置の視聴者にネットワークを介して種々のサービスが提供されている。特許文献１は、放送局が競売主催者として競売入札者にコマーシャル枠の競売を通知し、競売入札者にコマーシャル枠の応札価格を送付させ、競売主催者が競売入札者に応札状況を開示し、競売主催者が応札価格に基づいてコマーシャル枠の競売落札者を決定する技術を開示する。
【先行技術文献】
【特許文献】
【０００３】
【特許文献１】特開２００２−３１２６３４号公報
【発明の概要】
【発明が解決しようとする課題】
【０００４】
しかしながら、特許文献１はコマーシャル枠をネットワークを利用した競売により決定しているにすぎず、視聴者に何かしらのサービスを速やかに提供するには更なる改善の余地がある。
【課題を解決するための手段】
【０００５】
本開示の一態様による情報提供方法は、放送波を取得して映像を提示する映像提示装置の視聴者に、情報を提供する情報提供システムにおける情報提供方法であって、視聴者が興味を示す商品情報を含む映像が映像提示装置に提示された際に前記視聴者により入力された興味指示を示す入力通知を受信し、前記入力通知を用いて前記視聴者が興味を示した商品を特定し、前記特定による特定結果を用いて、前記特定された商品に対して興味を示した視聴者数を計数し、前記計数により計数された視聴者数に応じた商品提供者の前記特定された商品に対する提供価格を取得し、前記提供価格を含む商品提供者情報を登録し、前記特定された商品について提供を希望する１以上の商品提供者のそれぞれの商品提供者情報を用いて、前記特定された商品を前記視聴者に提供する１の商品提供者を選択し、前記選択された１の商品提供者の商品提供者情報を前記特定された商品の前記商品情報と関連付けて、前記視聴者の端末装置に提示させ、前記選択では、前記特定された商品の提供価格と視聴者数に基づき、前記１の商品提供者を選択する。
【０００６】
なお、これらの包括的または具体的な側面は、システム、装置、方法、および、コンピュータプログラムで実現されてもよく、システム、装置、方法、およびコンピュータプログラムの任意な組み合わせで実現されてもよい。
【発明の効果】
【０００７】
上記態様によれば、映像提示装置の視聴者が映像提示装置に表示されている商品に対して興味指示を入力した場合、速やかにその商品の商品情報を提示できる。
【図面の簡単な説明】
【０００８】
【図１】図１は、実施の形態１に係る情報提供方法を実現する情報提供システムの全体構成の一例を示す図である。
【図２】図２は、図１に示す情報処理装置の機能構成の一例を示したブロック図である。
【図３】図３は、映像提示装置の機能構成の一例を示すブロック図である。
【図４】図４は、携帯端末の機能構成の一例を示すブロック図である。
【図５】図５は、ナビゲーション装置の機能構成の一例を示すブロック図である。
【図６】図６は、商品提供者サーバの機能構成の一例を示すブロック図である。
【図７】図７は、商品提供者情報テーブルのデータ構造の一例を示す図である。
【図８】図８は、位置情報テーブルのデータ構成の一例を示す図である。
【図９】図９は、競売表示画面の一例を示した図である。
【図１０】図１０は、視聴者情報テーブルのデータ構成の一例を示す図である。
【図１１】図１１は、リモコンの外観の一例を示した図である。
【図１２】図１２は、実施の形態１における情報提供システムの処理の流れの一例を示すシーケンス図である。
【図１３】図１３は、実施の形態１の情報提供システムにおいて視聴者、リモコン、及び映像提示装置の動作の一例を示すシーケンス図である。
【図１４】図１４は、実施の形態１の情報提供システムにおいて、情報処理装置及び商品提供者サーバの動作の一例を示すシーケンス図である。
【図１５】図１５は、比較例のシーケンス図である。
【図１６】図１６は、実施の形態１の変形例における処理の一例を示すシーケンス図である。
【図１７】図１７は、実施の形態１の変形例において、携帯端末に表示される表示画面の一例を示した図である。
【図１８】図１８は、予約通知を表示する端末装置の表示画面の一例を示す図である。
【図１９】図１９は、視聴者により予約リストの表示指示が入力された際に端末装置が表示する予約リストの表示画面の一例を示す図である。
【図２０】図２０は、実施の形態１の変形例において、視聴者が興味指示を入力する際に携帯端末に表示される表示画面の一例を示した図である。
【図２１】図２１は、実施の形態２における情報提供システムの処理の流れの一例を示すシーケンス図である。
【図２２】図２２は、実施の形態３における情報提供システムの処理の流れの一例を示すシーケンス図である。
【図２３】図２３は、実施の形態３における情報提供システムの処理の流れの一例を示すシーケンス図である。
【図２４】図２４は、実施の形態３において、映像提示装置に提示される提示画面の一例を示す図である。
【図２５】図２５は、図２４に示す提示画面の変形例を示した図である。
【図２６】図２６は、図２４に示す提示画面の更に別の変形例を示した図である。
【図２７】図２７は、ナビゲーション装置が表示する表示画面の一例を示した図である。
【図２８】図２８は、ナビゲーション装置により表示される目的地設定画面の一例を示す図である。
【図２９】図２９は、ナビゲーション装置に表示される目的地設定画面の他の一例を示す図である。
【図３０】図３０は、ナビゲーション装置に表示される目的地設定画面の更に他の一例を示す図である。
【図３１】図３１は、距離条件を考慮に入れた競売表示画面の一例を示す図である。
【発明を実施するための形態】
【０００９】
まず、本発明者らが本開示に係る各態様の発明をするにあたって、検討した事項を説明する。
【００１０】
（本開示に係る一態様を発明するに至った経緯）
テレビには様々なコマーシャルや番組が放送されており、視聴者はコマーシャルや番組で紹介された商品を直ぐに購入したいと思うことがある。しかしながら、現状のテレビでは視聴者は紹介された商品を欲しいと思っても直ぐに購入することはできないという課題がある。
【００１１】
近年では、インターネット上で商品を購入することができる商品提供サイトが運営されており、視聴者は実店舗に来店することなく、インターネット上で商品を購入することもできる。しかしながら、この場合、視聴者は、別途、インターネットのブラウザを起動させて、商品提供サイトにアクセスし、所望する商品を検索するといった作業が必要となり、即時性に欠けると同時に視聴者に対して作業負担を与えるという問題がある。
【００１２】
また、視聴者は欲しいと思った商品をより安く購入したいという要望があるが、これを実現するためには、例えば、視聴者は、インターネットで商品の価格を調べたり、実店舗に来店して商品の価格を調べたりする必要があり、視聴者にとって大きな負担となっている。また、この負担が原因となり、場合によっては商品の購入をあきらめる視聴者が発生することも考えられる。
【００１３】
ところで、商品提供サイトの運営者は、購入意欲の高い消費者が商品提供サイトにアクセスする機会をできるだけ多く増やしたいと考えている。また、商品提供サイトの運営者は、まとまった数の消費者に商品を購入してほしいと考えている。
【００１４】
しかしながら、現状、商品提供サイトの運営者のこのような要望に応える対策がインターネットやテレビでは何ら講じられていない。
【００１５】
また、近年、インターネット等の出現によりテレビ放送の視聴者数が減少する傾向にあり、それに伴って、テレビコマーシャルの効果が低下しており、テレビコマーシャルを依頼する企業が減っている。そのため、放送業界ではテレビコマーシャルを依頼してくれる企業をいかにして獲得するかが課題となっている。
【００１６】
特許文献１は、ネットワークを利用した競売により単にコマーシャル枠を決定することが行われているにすぎず、上記の課題を解決することはできない。
【００１７】
また、上記の課題に応じるために、例えば、テレビに種々のサービスを提供するサーバとインターネットを介して接続し、コマーシャルの放送中に視聴者により商品購入ボタンが押されると、サーバがそれを検知し、商品提供サイトにテレビを接続させる態様が考えられる。
【００１８】
しかしながら、この態様では、世の中に出回っているテレビの台数は膨大であり、この膨大な台数のテレビから個々の視聴者によって任意のタイミングで商品購入ボタンが押されることが想定される。そのため、視聴者が商品購入ボタンを押してから低いレイテンシで商品提供サイトをテレビに接続させるのは容易ではない。また、視聴者は商品を最安価格で購入することを希望するが、この要素を考慮に入れてサーバが１の商品提供サイトを決定し、この１の商品提供サイトをテレビに接続させようとすると、レイテンシが更に増大する。更に、商品提供者は、需要の多い商品は値引きして視聴者に提供したいと考えることもあるが、この要素も考慮してサーバが１の商品提供サイトを決定し、この１の商品提供サイトにテレビを接続させようとすると、レイテンシが更に増大する。
【００１９】
本開示では、映像提示装置の視聴者が映像提示装置に表示されている商品に対して興味指示を入力した場合、速やかにその商品の商品情報をこの視聴者に提示できる情報提供方法を提供する。
【００２０】
本開示の一態様による情報提供方法は、放送波を取得して映像を提示する映像提示装置の視聴者に、情報を提供する情報提供システムにおける情報提供方法であって、視聴者が興味を示す商品情報を含む映像が映像提示装置に提示された際に前記視聴者により入力された興味指示を示す入力通知を受信し、前記入力通知を用いて前記視聴者が興味を示した商品を特定し、前記特定による特定結果を用いて、前記特定された商品に対して興味を示した視聴者数を計数し、前記計数により計数された視聴者数に応じた商品提供者の前記特定された商品に対する提供価格を取得し、前記提供価格を含む商品提供者情報を登録し、前記特定された商品について提供を希望する１以上の商品提供者のそれぞれの商品提供者情報を用いて、前記特定された商品を前記視聴者に提供する１の商品提供者を選択し、前記選択された１の商品提供者の商品提供者情報を前記特定された商品の前記商品情報と関連付けて、前記視聴者の端末装置に提示させ、前記選択では、更に前記特定された商品の提供価格と視聴者数に基づき、前記１の商品提供者を選択する。
【００２１】
この場合、映像提示装置の映像を視聴する視聴者により興味指示が入力されると、興味指示を示す入力通知を用いて視聴者が興味を示した商品が特定され、特定された商品の提供を希望する１以上の商品提供者のそれぞれの商品提供者情報を用いて１の商品提供者が選択される。この選択においては、特定された商品の提供価格と視聴者数に基づき、１の商品提供者を選択する。そのため、視聴者により任意のタイミングで入力される興味指示に対して、視聴者が興味を持つ商品の商品情報とその商品を提供する商品提供者の商品提供者情報とを低いレイテンシで視聴者に提示できる。また、視聴者が映像提示装置の映像を視聴中に興味を持つ商品が提示された場合、視聴者は興味指示を入力するだけで、その商品についての商品情報及び商品提供者情報を即座に閲覧できる。よって、視聴者が興味を持つ商品に対する視聴者の購入意欲をより効果的に高めることができる。その結果、商品提供者はより多くの視聴者に商品を提供することができる。また、映像提示装置に提示されるコマーシャルについて本態様を適用することで、その商品に対する視聴者の購入意欲が高められるため、コマーシャルの効果がより確実に増大される結果、放送事業者の広告収入を増大できる。
【００２２】
また、上記態様において、前記選択では、前記特定された商品を提供する１以上の商品提供者のうち、最も安い提供価格で提供する１の商品提供者を選択してもよい。
【００２３】
この場合、視聴者が興味を示した商品を最も安い価格で提供する商品提供者を視聴者に速やかに提示できる。
【００２４】
また、上記態様において、前記特定された商品に対して、前記計数された視聴者数を商品提供者のサーバに提示させてもよい。
【００２５】
この場合、特定された商品に対して興味を示した視聴者数が商品提供者に提示されるため、この視聴者数から特定された商品の価格を設定する際の判断材料を商品提供者に提示することができる。これにより、商品提供者は、例えば、需要の高い商品に対して価格を下げる等の措置を講じて、競売に競り勝つことができる。
【００２６】
また、上記態様において、前記１以上の商品提供者の現実空間での商品提供場所を示す位置情報と、前記１以上の商品提供者の商品提供者情報とが関連付けられており、前記映像提示装置又は前記視聴者の現実空間での位置を特定し、前記選択では、前記特定した位置からの距離が一定の距離範囲内にある商品提供場所の商品提供者を前記商品提供者情報を用いて抽出し、前記抽出した商品提供者の中から前記１の商品提供者を選択してもよい。
【００２７】
この構成では、視聴者が興味を示した商品の現実空間の提供場所を視聴者に提示する態様を採用した場合において、視聴者又は映像提示装置の現在位置から商品提供場所が離れている商品提供者が選択されることを防止できる。その結果、商品提供場所が提示されたもののその場所が例えば自宅から遠いため、購入を断念する視聴者が発生することを防止できる。
【００２８】
また、上記態様において、前記受信した入力通知は、更に前記視聴者が入力した前記商品提供場所までの距離範囲を含み、前記選択では、前記距離範囲内の前記商品提供者を前記商品提供者情報を用いて抽出してもよい。
【００２９】
この場合、視聴者が実際に来店してもよいと考える距離範囲内に商品提供場所が位置する商品提供者を選択できる。その結果、視聴者は容易に商品提供場所に訪問できる。
【００３０】
また、上記態様において、前記視聴者の端末装置は、前記映像提示装置であり、前記商品提供者情報は、前記商品提供者が前記商品を前記視聴者に購入させる商品提供サイトの通信ネットワーク上での位置を示す位置情報を含み、前記提示では、前記選択された１の商品提供者の商品提供者情報を前記特定された商品の前記商品情報と関連付けて前記映像提示装置に提示させるための提示情報を送信し、前記映像提示装置が、前記受信した提示情報に含まれる位置情報を用いて、前記商品提供サイトにアクセスしてもよい。
【００３１】
この場合、商品提供サイトの通信ネットワーク上での位置情報が映像提示装置に送信されるため、映像提示装置は、この位置情報を指定して商品提供サイトにアクセスできる。
【００３２】
また、上記態様において、前記視聴者の端末装置は、ナビゲーション装置であり、前記商品提供者情報は、前記商品提供者の現実空間での商品提供場所を示す位置情報を含み、前記提示では、前記選択された１の商品提供者の商品提供者情報を前記特定された商品の前記商品情報と関連付けてナビゲーション装置に提示させるための提示情報を送信し、前記ナビゲーション装置が前記提示情報に含まれる位置情報が示す現実空間の位置を目的地として設定してもよい。
【００３３】
この場合、視聴者は、ナビゲーション装置に商品提供者の商品提供場所の位置情報を入力しなくとも、この位置情報がナビゲーション装置に自動的に目的地として設定される。そのため、視聴者は車を運転して、商品提供場所に容易に行くことができる。
【００３４】
また、上記態様において、前記提供価格は、各商品に対して興味を示した視聴者数に応じて異なる値を含み、前記選択では、前記計数した視聴者数において最安の提供価格を示す商品提供者を、前記１の商品提供者として選択してもよい。
【００３５】
この場合、商品提供者情報には、各商品に対して興味を示した視聴者数に応じて値が異なる提供価格が事前に登録されている。そのため、該当する商品に対する実際の興味指示の入力回数において最安の提供価格を提示する１の商品提供者を速やかに選択できる。
【００３６】
また、上記態様において、前記情報提供方法は、更に、１以上のチャンネルの放送波を常時受信し、前記特定では、前記興味指示が入力された際に前記映像提示装置が受信している放送波のチャンネル情報を情報処理装置が取得し、前記取得したチャンネル情報と前記受信した放送波と、前記興味指示が入力された際に前記映像提示装置に提示されている映像とを用いて、前記視聴者が興味を示す商品を特定してもよい。
【００３７】
この場合、１以上のチャンネルの放送波が常時受信され、入力通知にはチャンネル情報が含まれているため、映像提示装置から送信される入力通知を用いて興味指示を入力した際に視聴者が視聴していた放送波の映像を特定できる。そして、特定した映像から視聴者が興味を持つ商品を特定できる。その結果、視聴者が興味を持つ商品を確実に特定できる。
【００３８】
また、上記態様において、視聴者が興味を示す商品情報を含む映像が映像提示装置に提示された際に前記視聴者により入力された興味指示を前記映像提示装置または前記端末装置が受け付け、前記興味指示を受け付けた前記映像提示装置または前記端末装置から前記入力通知を受信してもよい。
【００３９】
本開示の端末装置は、放送波を取得して映像を提示する映像提示装置の視聴者に、情報を提供する情報提供システムに用いられる端末装置であって、視聴者が興味を示す商品情報を含む映像が提示された際に前記視聴者により入力される興味指示を受け付ける操作部と、前記興味指示の入力通知を情報処理装置に送信する送信部と、前記視聴者が興味を示した商品の商品情報と、前記商品を提供する１の商品提供者の商品提供者情報とを前記情報処理装置から受信する受信部と、前記受信部により受信された商品情報及び前記商品提供者情報を関連付けて表示部に表示させる表示処理部とを備える。
【００４０】
この場合、映像提示装置に提示された映像を視聴した視聴者がその映像に含まれる商品に興味を持ち、興味指示を入力すると、その商品の商品情報とその商品を提供する商品提供者の商品提供者情報とが関連付けて表示される端末装置を提供できる。
【００４１】
また、上記態様において、前記情報処理装置は、前記映像提示装置が受信している放送波のチャンネル情報を前記映像提示装置から通信ネットワークを介して取得し、前記端末装置は、前記情報処理装置と前記通信ネットワークを介して接続され、前記受信部は、前記映像提示装置が受信しているチャンネルのチャンネル情報を前記情報処理装置から受信し、前記送信部は、前記受信されたチャンネル情報を前記入力通知に含ませて前記情報処理装置に送信してもよい。
【００４２】
この場合、映像提示装置と端末装置とを直接通信させることなく、端末装置は映像提示装置のチャンネル情報を取得できる。そのため、映像提示装置に携帯端末と通信するための通信回路を別途設けなくても、本情報提供システムに適用できる映像提示装置の台数を増大させることができる。
【００４３】
本開示の制御方法は、放送波を取得して映像を提示する映像提示装置の視聴者に、情報を提供する情報処理装置を備える情報提供システムに用いる端末装置の制御方法であって、前記端末装置のコンピュータに対して、視聴者が興味を示す商品情報を含む映像が提示された際に前記視聴者により入力される興味指示を受け付ける処理と、前記興味指示を示す入力通知を前記情報処理装置に送信する処理と、前記視聴者が興味を示した商品の商品情報と、前記商品を提供する１の商品提供者の商品提供者情報とを前記情報処理装置から受信する処理と、前記受信された商品情報及び前記商品提供者情報を関連付けて表示部に表示させる処理とを実行させる。
【００４４】
この場合、映像提示装置に提示された映像を視聴した視聴者がその映像に含まれる商品に興味を持ち、興味指示を入力すると、その商品の商品情報とその商品を提供する商品提供者の商品提供者情報とが関連付けて表示される端末装置を提供できる。
【００４５】
本開示のプログラムは、放送波を取得して映像を提示する映像提示装置の映像を視聴者に、情報を提供する情報処理装置と、前記端末装置とを備える情報提供システムにおける端末装置に実行させるプログラムであって、前記端末装置のコンピュータに対して、視聴者が興味を示す商品情報を含む映像が提示された際に前記視聴者により入力される興味指示を受け付ける処理と、前記興味指示の入力通知を前記情報処理装置に送信する処理と、前記視聴者が興味を示した商品の商品情報と、前記商品を提供する１の商品提供者の商品提供者情報とを前記情報処理装置から受信する処理と、前記受信された商品情報及び前記商品提供者情報を関連付けて表示部に表示させる処理とを実行させる。
【００４６】
この場合、映像提示装置に提示された映像を視聴した視聴者がその映像に含まれる商品に興味を持ち、興味指示を入力すると、その商品の商品情報とその商品を提供する商品提供者の商品提供者情報とが関連付けて表示される端末装置を提供できる。
【００４７】
本開示の情報提供システムは、放送波を取得して映像を提示する映像提示装置の視聴者に、情報を提供する情報処理装置と端末装置を備える情報提供システムであって、前記情報処理装置は、視聴者が興味を示す商品情報を含む映像が映像提示装置に提示された際に前記視聴者により入力された興味指示を示す入力通知を受信し、前記入力通知を用いて前記視聴者が興味を示した商品を特定し、前記特定による特定結果を用いて、前記特定された商品に対して興味を示した視聴者数を計数し、前記計数により計数された視聴者数に応じた商品提供者の前記特定された商品に対する提供価格を取得し、前記提供価格を含む商品提供者情報を登録し、前記特定された商品について提供を希望する１以上の商品提供者のそれぞれの商品提供者情報を用いて、前記特定された商品を前記視聴者に提供する１の商品提供者を選択し、前記選択では、更に前記特定された商品の提供価格と視聴者数に基づき、前記１の商品提供者を選択し、前記端末装置は、前記選択された１の商品提供者の商品提供者情報を前記特定された商品の前記商品情報と関連付けて、提示させる。
【００４８】
この場合、映像提示装置の映像を視聴する視聴者により興味指示が入力されると、興味指示を示す入力通知を用いて視聴者が興味を示した商品が特定され、特定された商品につき商品の提供を希望する１以上の商品提供者のそれぞれの商品提供者情報を用いて１の商品提供者が選択される。この選択においては、特定された商品の提供価格と視聴者数に基づき、１の商品提供者を選択する。そのため、視聴者により任意のタイミングで入力される興味指示に対して、視聴者が興味を持つ商品の商品情報とその商品を提供する商品提供者の商品提供者情報とを低いレイテンシで視聴者に提示できる。また、視聴者が映像提示装置の映像を視聴中に興味を持つ商品が提示された場合、視聴者は興味指示を入力するだけで、その商品についての商品情報及び商品提供者情報を即座に閲覧できる。よって、視聴者が興味を持つ商品に対する視聴者の購入意欲をより効果的に高めることができる。
【００４９】
その結果、商品提供者はより多くの視聴者に商品を提供することができる。また、映像提示装置に提示されるコマーシャルについて本態様を適用することで、その商品に対する視聴者の購入意欲が高められるため、コマーシャルの効果がより確実に増大される結果、放送事業者の広告収入を増大できる。更に、映像提示装置に提示された映像を視聴した視聴者がその映像に含まれる商品に興味を持ち、興味指示を入力すると、その商品の商品情報とその商品を提供する商品提供者の商品提供者情報とが関連付けて表示される端末装置を提供できる。
【００５０】
（実施の形態１）
図１は、実施の形態１による情報提供方法を実現する情報提供システムの全体構成の一例を示す図である。図１に示す情報提供システムは、情報処理装置１００、映像提示装置２００、リモコン３００、商品提供者サーバ装置（以下、商品提供者サーバ４００と称する）、携帯端末５００、及びナビゲーション装置６００を備える。
【００５１】
情報処理装置１００、映像提示装置２００、商品提供者サーバ４００、携帯端末５００、及びナビゲーション装置６００は通信ネットワークＮＴを介して相互に通信可能に接続されている。通信ネットワークＮＴとしては、例えばインターネットを採用することができる。したがって、情報処理装置１００、映像提示装置２００、商品提供者サーバ４００、携帯端末５００、及びナビゲーション装置６００は、それぞれ、ＴＣＰ／ＩＰ等の通信プロトコルを用いて種々のデータを送受信する。
【００５２】
情報処理装置１００は、例えば、映像提示装置２００に種々のサービスを提供するサーバにより構成される。本実施の形態では、情報処理装置１００は、例えば、映像提示装置２００から視聴者により入力された興味指示を示す入力通知を受信し、興味指示が入力された際に映像提示装置２００に提示されていた映像に含まれる商品を特定する。そして、情報処理装置１００は、例えば、特定した商品を視聴者に提供する１の商品提供者を選択し、選択した商品提供者に関する商品提供者情報と商品情報とを関連付けて映像提示装置２００に提示させる。
【００５３】
映像提示装置２００は、例えば、放送波を取得して映像を提示するテレビにより構成されている。本実施の形態では、映像提示装置２００は、例えば、リモコン３００を用いて視聴者により興味指示が入力されると、興味指示が入力されたときに提示していた放送波のチャンネルを示すチャンネル情報と、興味指示の入力時刻とを情報処理装置１００に送信する。また、映像提示装置２００は、情報処理装置から送信された商品提供者情報と商品情報とを関連付けて提示する。
【００５４】
リモコン３００は、映像提示装置２００を操作するための装置であり、例えば、赤外線通信を用いて映像提示装置２００に種々のコマンドを送信する。本実施の形態では、リモコン３００は、例えば、興味指示ボタンを備え、視聴者により興味指示ボタンが押下されると、興味指示ボタンが押下されたことを映像提示装置２００に通知するためのコマンドを映像提示装置２００に送信する。
【００５５】
携帯端末５００は、例えば、スマートフォンやタブレット端末やボタン式の携帯電話により構成され、視聴者により携帯される。ナビゲーション装置６００は、例えば、視聴者が所有する自動車や自転車に搭載され、視聴者により設定された目的地に視聴者を案内する。
【００５６】
なお、図１では、映像提示装置２００は１つしか示されていないが、２つ以上設けられていてもよい。また、商品提供者サーバ４００は、本情報提供システムに参加する商品提供者毎に複数設けられてもよい。また、携帯端末５００及びナビゲーション装置６００も１つしか示されていないが、２つ以上設けられてもよい。図では、携帯端末５００と、ナビゲーション装置６００とを物理的に別体として示しているが、これに限定をされる必要はない。例えば携帯端末５００は、ナビゲーション装置６００の機能を有するものであってもよい。
【００５７】
図２は、図１に示す情報処理装置１００の機能構成の一例を示したブロック図である。情報処理装置１００は、例えば、ＣＰＵ（Central Processing Unit）、ＲＯＭ（Read Only Memory）、ＲＡＭ（Random Access Memory）等を備えるコンピュータにより構成される。情報処理装置１００は、放送波取得部１０１、特定部１０２、選択部１０３、提示部１０４、登録部１０５、商品提供者情報記憶部１０６、計数部１０７、視聴者数提示部１０８、位置情報記憶部１０９、視聴者情報記憶部１１０、及び通信部１２０を備える。
【００５８】
放送波取得部１０１は、例えば、チューナにより構成され、映像提示装置２００が受信可能な全チャンネルの放送波を受信する。例えば、映像提示装置２００が１ＣＨ、３ＣＨ、４ＣＨ、６ＣＨ、８ＣＨ、１０ＣＨ等の複数のチャンネルの放送波が受信可能であれば、全チャンネルの放送波を同時に検波し、全チャンネルの放送波をそれぞれ同時に受信する。なお、放送波としては、例えば、地上デジタルテレビの放送波や、衛星テレビの放送波が含まれる。但し、これは一例であり、映像提示装置２００がインターネット上で放送される番組を受信できる場合は、インターネット上で配信される番組のデータが放送波として採用されてもよい。
【００５９】
特定部１０２は、映像提示装置２００から興味指示が視聴者により入力されたことを示す入力通知を通信部１２０が受信した場合、入力通知を用いて視聴者が興味を示した商品を特定する。
【００６０】
ここで、特定部１０２による商品の特定方法として以下の４つの方法が採用できる。
【００６１】
＜特定方法１＞
特定方法１は、興味指示を入力した際に映像提示装置２００が提示している映像を特定し、特定した映像から画像認識技術を用いて視聴者が興味を示した商品を特定する手法である。この場合、入力通知に、興味指示が入力されたときに映像提示装置２００が提示している映像のチャンネル情報と興味指示の入力時刻とを含ませておく。そして、特定部１０２は、入力通知に含まれるチャンネル情報を用いて、放送波取得部１０１が取得した放送波の中から興味指示を入力した際に視聴者が視聴していたチャンネルの放送波を特定する。そして、特定部１０２は、入力通知に含まれる入力時刻を用いて、特定した放送波の映像の中から、視聴者が興味指示を入力した際に映像提示装置２００に提示されていた映像を特定する。
【００６２】
そして、特定部１０２は、特定対象となる１以上の商品を示す画像の特徴量が予め登録されたテータベースを用いて、特定した映像に含まれる商品を特定すればよい。ここで、商品を示す画像の特徴量は、商品が表示された画像を用いて予め算出されたものである。そして、特定部１０２は、このデータベースに登録されている各特徴量と特定した映像とのパターンマッチングを順次に実行し、最大の相関値を持つ商品を視聴者が興味を示した商品として特定すればよい。
【００６３】
なお、入力通知に視聴者の視線を示す視線情報を含ませてもよい。この場合、特定部１０２は、特定した映像のうち、視聴者が注目している領域を視線情報を用いて取り出し、その領域とデータベースに登録された各特徴量とのパターンマッチングを順次に実行していけばよい。これにより、１枚の映像の全領域からパターンマッチングを行う場合に比べて、計算量が削減され、パターンマッチングの高速化を図ることができる。
【００６４】
なお、入力通知に視線情報を含ませる場合、映像提示装置２００は、視聴者により興味指示が入力されると、例えば、赤外線を視聴者の顔に照射して赤外線カメラで視聴者の顔を撮像する。そして、映像提示装置２００は、撮像した顔の画像から視聴者の角膜の反射位置と瞳孔の位置とを検出し、両者の位置関係から視聴者の視線を特定すればよい。そして、映像提示装置２００は、例えば、特定した視線と映像提示装置２００の表示部との交点を中心とする所定の面積を持つ四角形の４つの頂点の座標を視線情報として入力通知に含ませればよい。
【００６５】
＜特定方法２＞
特定方法２は、映像を含むコンテンツを識別するためのコンテンツＩＤとコンテンツに含まれる商品を示す商品情報とが予め対応付けて登録されたコンテンツデータベースを用いて視聴者が興味を示した商品を特定する手法である。このコンテンツデータベースは、例えば、オペレータがコンテンツを視聴することで作成される。
【００６６】
オペレータは、予めコンテンツの映像を実際に視聴してその映像に含まれる商品を特定し、特定した商品の商品情報とコンテンツＩＤとを対応付けてコンテンツデータベースに登録すればよい。
【００６７】
ここで、コンテンツとしては、主にテレビコマーシャルを想定しているが、これに限定されず放送事業者が放送する番組（例えば、ドラマや商品を紹介する番組）が採用されてもよい。コンテンツＩＤとしては、例えば、コンピュータが認識可能な記号列が採用される。
【００６８】
そして、作成されたコンテンツデータベースを用いて特定部１０２は、例えば、以下の処理を行って、視聴者が興味を持つ商品を特定する。まず、特定部１０２は、興味指示の入力通知を取得すると、入力通知に含まれるチャンネル情報及び入力時刻と、事前に入手している放送スケジュールと照合し、視聴者が興味指示を入力したコンテンツを特定する。ここで、放送スケジュールには、どのコンテンツがどの時間帯に放映されるかがコンテンツＩＤを用いて示されたデータである。
【００６９】
そして、特定部１０２は、特定したコンテンツのコンテンツＩＤを用いて、そのコンテンツＩＤに対応する商品情報をコンテンツデータベースから特定し、特定した商品情報が示す商品を視聴者が興味を持つ商品として特定する。
【００７０】
＜特定方法３＞
特定方法３は、特定対象となる商品を含むコンテンツに商品情報を示す電子透かしデータを予め埋め込んでおき、埋め込んだ電子透かしデータを用いて視聴者が興味を持つ商品を特定する方法である。
【００７１】
この方法では、例えば下記の処理により視聴者が興味を持つ商品が特定される。まず、放送事業者は、商品情報を示す電子透かしデータが埋め込まれた映像を含むコンテンツを放送する。映像提示装置２００は、視聴者により興味指示が入力されると、そのとき映像提示装置２００に提示されていた映像から電子透かしデータを読み取り、商品情報を取得する。そして、映像提示装置２００は、取得した商品情報を入力通知に含ませて情報処理装置１００に送信する。入力通知を取得した特定部１０２は、入力通知に含まれる商品情報が示す商品を視聴者が興味を持つ商品として特定する。
【００７２】
或いは、映像提示装置２００がコード情報の読み取りを行わない下記の処理により視聴者が興味を持つ商品が特定されてもよい。映像提示装置２００は、視聴者により興味指示が入力されると、チャンネル情報と入力時刻とを入力通知に含ませて情報処理装置１００に送信する。特定部１０２は、入力通知を取得すると、入力通知に含まれるチャンネル情報と入力時刻とから特定方法１と同じ手法を用いて興味指示が入力された際に映像提示装置２００が提示していた映像を特定する。そして、特定部１０２は、特定した映像から電子透かしデータを読み取り商品情報を抽出し、視聴者が興味を持つ商品を特定する。
【００７３】
＜特定手法４＞
特定手法４は、特定対象となる商品を含むコンテンツに商品情報を示すバーコードやＱＲコード（登録商標）等のコード画像を付加しておき、付加したコード画像を用いて視聴者が興味を持つ商品を特定する方法である。
【００７４】
この方法では、例えば、下記の処理により視聴者が興味を持つ商品が特定される。まず、放送事業者は、商品情報を示すコード画像が付加されたコンテンツを放送する。映像提示装置２００は、視聴者により興味指示が入力されると、そのとき映像提示装置２００に提示されていた映像からコード画像を読み取り、商品情報を取得する。そして、映像提示装置２００は、取得した商品情報を入力通知に含ませて情報処理装置１００に送信する。入力通知を取得した特定部１０２は、入力通知に含まれる商品情報が示す商品を視聴者が興味を持つ商品として特定する。
【００７５】
或いは、映像提示装置２００がコード情報の読み取りを行わない下記の処理により視聴者が興味を持つ商品が特定されてもよい。まず、映像提示装置２００は、視聴者により興味指示が入力されると、チャンネル情報と入力時刻とを入力通知に含ませて情報処理装置１００に送信する。特定部１０２は、入力通知を取得すると、入力通知に含まれるチャンネル情報と入力時刻とから特定方法１と同じ手法を用いて興味指示が入力された際に映像提示装置２００が提示していた映像を特定する。そして、特定部１０２は、特定した映像からコード画像を読み取って商品情報を抽出し、視聴者が興味を持つ商品を特定する。
【００７６】
次に、特定方法１〜４の長所について述べる。特定方法１、２では、コンテンツを加工する必要がないため、情報処理装置１００の運営会社が放送事業者にコンテンツの加工を依頼しなくて済み、自社のみでシステムを実現できるという利点がある。
【００７７】
また、特定方法１、２では、コンテンツを加工しなくて済むため、コンテンツのデザイン性に影響を与えない。
【００７８】
また、特定方法３では、コンテンツの加工は施されるものの、視聴者は電子透かしデータを認識できないため、コンテンツのデザインに悪影響を及ぼさない。
【００７９】
また、特定方法２〜４では、同一コンテンツに対して異なる商品情報を埋め込めることができるため、例えば、同一コンテンツであっても配信経路に応じて異なる商品情報を埋め込むことができる。
【００８０】
また、特定方法２〜４では、パターンマッチングといった処理負荷の高い画像処理技術が用いられていないため、特定対象となる商品数が膨大な数になったとしても、視聴者が興味を持つ商品を速やかに特定できる。
【００８１】
図２に戻り、選択部１０３は、１以上の各商品について各商品の提供を希望する１以上の商品提供者が予め登録された商品提供者情報テーブル（図７参照）を用いて、特定部１０２により特定された商品を視聴者に提供する１の商品提供者を選択する。
【００８２】
図７は、商品提供者情報テーブルのデータ構造の一例を示す図である。商品提供者情報テーブルは、商品提供者情報記憶部１０６に予め記憶された２次元のリレーショナルデータベースであり、「商品名」、「商品分野」、「商品番号」、「商品提供者」、及び「価格」の項目を備える。
【００８３】
「商品名」は、商品を特定するために商品の製造者によって予め付与された商品の名前である。商品分野は、商品が属している商品の分野を示し、例えば、洗濯機やジュースといった商品の種別を特定するための情報である。商品番号は、例えば、商品の型番を示す記号列が採用され、商品名と対応している。つまり、商品番号が分かれば、商品名が特定される。
【００８４】
商品提供者は、例えば、商品を視聴者に販売する小売業者の名称である。価格は商品提供者における商品の販売価格を示す。図７の例では、押下数に応じて異なる価格が設定されている。押下数とは、視聴者が興味指示を入力した回数の累積値である。
【００８５】
例えば、ＱＱ洗濯機について、Ａ社は押下数が０以上、１０，０００以下であれば、１００，０００円で販売し、押下数が１０，０００以上１００，０００以下であれば９０，０００円で販売する。また、ＱＱ洗濯機について、Ｂ社は押下数が０以上１０，０００以下であれば、１００，１００円で販売し、押下数が１０，０００以上１００，０００以下であれば９０，１００円で販売する。
【００８６】
このように、押下数が増大するにつれて各商品提供者は価格を減少させている。これは、例えば、商品提供者は、販売個数の見込みが多い商品ほど消費者に対してより安い価格で提供できるという考えに基づいている。
【００８７】
なお、図７に示す商品提供者情報テーブルを構成する項目は一例であり、他の項目が加えられてもよいし、押下数に応じた価格も一例にすぎない。また、図７の例では、価格は押下数に応じて異なる値が採用されているが、これは一例に過ぎず、押下数に拘わらず一律に同じ価格が採用されてもよい。
【００８８】
そして、選択部１０３は、特定部１０２により視聴者が興味を持つ商品と、その商品に対する興味指示の入力回数とが特定されると、入力回数（押下数）において、その商品を最安価格で販売する１の商品提供者を商品提供者情報テーブルから選択する。例えば、ＱＱ洗濯機の押下数が５，０００であったとすると、Ａ社の価格は１００，０００円であり、Ｂ社の価格である１００，１００円よりも安いため、Ａ社が１の商品提供者として選択される。
【００８９】
また、ＰＰジュースの押下数が１５，０００であったとすると、Ｂ社の価格は９０円であり、Ａ社の価格である１１０円よりも安いため、Ｂ社が１の商品提供者として選択される。
【００９０】
図２に戻り、提示部１０４は、選択部１０３により選択された１の商品提供者の商品提供者情報を特定部１０２により特定された商品の商品情報と関連付けて映像提示装置２００に提示させるための提示情報を、通信部１２０を介して視聴者の映像提示装置２００に送信する。そして、映像提示装置２００は、提示情報を用いて視聴者が興味を持つ商品の商品情報と、その商品を提供する１の商品提供者の商品提供者情報とを関連付けて提示する。
【００９１】
ここで、商品情報としては、例えば、図７に示す商品名、商品分野、及び商品番号等が採用される。また、商品提供者情報としては、例えば、図７に示す商品提供者名、及び価格等が採用される。また、提示情報としては、商品提供者が視聴者にインターネットを通じて商品を購入させるための商品提供サイトのＵＲＬが採用される。提示部１０４は、位置情報記憶部１０９に記憶された位置情報テーブル（図８参照）から商品提供サイトのＵＲＬを抽出すればよい。
【００９２】
図８は、位置情報テーブルのデータ構成の一例を示す図である。位置情報テーブルは、商品提供者情報テーブルに登録された各商品提供者の位置情報が事前に登録された２次元のリレーショナルデータベースである。図８の例では、位置情報テーブルは、「商品提供者」、「ＵＲＬ」、「商品提供場所」、及び「実店舗の住所」の項目を備える。「商品提供者」は、図７の商品提供者と同じである。「ＵＲＬ」は商品提供者が運営する商品提供サイトのインターネット上での格納場所を示す位置情報である。なお、商品提供サイトは、例えば、商品提供者サーバ４００上に設けられる。
【００９３】
「商品提供場所」は、各商品提供者が現実空間で運営している実店舗の位置を示す位置情報である。例えば、Ａ社は、ＡＡ店とＡＢ店とを実店舗として運営しているため、図８の例では、ＡＡ店とＡＢ店との位置情報がそれぞれ登録されている。ここで、実店舗の位置情報は例えば、緯度及び経度が採用される。ＡＡ店は緯度がＸＡＡ、経度がＹＡＡに位置しているため、図８の例では、ＡＡ店の位置情報として（ＸＡＡ、ＹＡＡ）が登録されている。「実店舗の住所」は商品提供場所の項目に登録された実店舗の住所が登録されている。その他、図８の位置情報テーブルには実店舗の電話番号等が登録されてもよい。
【００９４】
また、映像提示装置２００から送信される入力通知に映像提示装置２００の通信アドレスを含ませておき、提示部１０４は、この通信アドレス宛に提示情報を送信すればよい。
【００９５】
図２に戻り、登録部１０５は、商品提供者サーバ４００（図１参照）から、商品提供者が提示する各商品の価格を随時受け付け、受け付けた価格を商品提供者情報記憶部１０６に記憶された商品提供者情報テーブルに登録する。例えば、新規の商品提供者から各商品の価格の設定依頼を取得した場合、登録部１０５は、その商品提供者のための商品提供者情報テーブルのレコードを新たに作成し、そのレコードの価格等の各項目に該当する情報を登録する。また、商品提供者情報テーブルに登録済みのある商品提供者が、登録済みのある商品の価格を変更し、その変更が反映された価格の設定依頼が商品提供者サーバ４００から送信された場合、登録部１０５は、商品提供者情報テーブルにおいて、該当するレコードの価格の項目に記載された変更前の商品の価格を変更後の商品の価格で更新する。以上のような処理が随時行われ、図７に示す商品提供者情報テーブルが作成される。
【００９６】
商品提供者情報記憶部１０６は、図７に示す商品提供者情報テーブルを記憶する。
【００９７】
計数部１０７は、特定部１０２による商品の特定結果を用いて、各商品に対して興味を示した視聴者数を計数する。具体的には、計数部１０７は、特定部１０２がある商品を特定すると、その商品に対する興味指示の入力回数を１カウントアップし、カウントアップした値をカウント数管理テーブル（図略）に登録する。ここで、カウント数管理テーブルは、例えば１以上の商品の商品情報と各商品に対する興味指示の入力回数とが対応付けられたテーブルであり、例えば、図略の記憶装置に記憶されている。
【００９８】
例えば、特定部１０２によりＱＱ洗濯機が商品として特定されたとし、カウント数管理テーブルにＱＱ洗濯機のカウント値が１００，０００として登録されていたとすると、計数部１０７はそのカウント値を１００，００１に更新する。
【００９９】
視聴者数提示部１０８は、計数部１０７が計数した商品毎の視聴者数を含む競売表示画面を商品提供者サーバ４００に提示する。図９は競売表示画面の一例を示した図である。競売表示画面は各商品につき、最安価格で販売する１の商品提供者が表示されたテーブル形式の画像である。具体的には、競売表示画面は、「商品提供者」、「商品分野」、「商品名」、「商品番号」、「押下数」、及び「最安価格」の項目を備える。「商品提供者」、「商品分野」、「商品名」、及び「商品番号」は図７に示す同一名称の項目と同じである。「押下数」は、該当する商品に対して視聴者が興味指示を入力した回数を示している。例えば、ＱＱ洗濯機はＡ社が最安価格である１００，０００円を提示したため、Ａ社が商品提供者の項目に登録されている。また、ＰＰジュースはＢ社が最安価格である５０円を提示したため、Ｂ社が商品提供者の項目に登録されている。
【０１００】
具体的には、視聴者数提示部１０８は、計数部１０７が管理しているカウント数管理テーブル（図略）から各商品に対するカウント値を特定し、特定したカウント値において最安価格を提示する商品提供者を商品提供者情報記憶部１０６に記憶されている商品提供者情報テーブルから抽出する。そして、視聴者数提示部１０８は、各商品の商品情報と各商品につき最安価格を提示している商品提供者の商品提供者情報とを対応付けて競売表示画面を生成し、通信部１２０を介して生成した競売表示画面を商品提供者サーバ４００に送信する。
【０１０１】
商品提供者サーバ４００は、競売表示画面を受信すると、競売表示画面を図略の表示部に表示する。これにより、商品提供者は、競売表示画面から各商品の最安価格を把握し、各商品に対する自身の設定価格を決定する。このように競売表示画面には各商品の最安価格が表示されているため、商品提供者が各商品の価格を設定する際の判断材料となる。
【０１０２】
ここで、情報処理装置１００の運営会社は、対価の支払いを条件に商品提供者に競売表示画面を提示するようにしてもよい。例えば、商品提供者としてＡ社、Ｂ社は競売表示画面に対する対価を支払っているがＣ社は競売表示画面に対する対価を支払っていないとする。この場合、視聴者数提示部１０８は、Ａ社、Ｂ社にのみ競売表示画面を提示し、Ｃ社には競売表示画面を提示しないようにしてもよい。
【０１０３】
また、この競売表示画面に対する対価の支払額を用いて選択部１０３は１の商品提供者を選択してもよい。すなわち、上記説明では、選択部１０３は、商品提供者情報テーブルの中からある商品につき最安価格を提示した１の商品提供者を選択したが、これに代えて、競売表示画面に対して最高の支払額を支払った１の商品提供者を１の商品提供者として選択してもよい。この場合、商品提供者情報記憶部１０６に、１以上の商品提供者と各商品提供者の競売表示画面に対する対価の支払額とが関連付けられた競売表示画面購入テーブルを記憶させておき、選択部１０３は、この競売表示画面購入テーブルにおいて最高の支払額が登録されている１の商品提供者を、特定部１０２が特定した商品に対する１の商品提供者として選択すればよい。
【０１０４】
視聴者情報記憶部１１０は、視聴者情報テーブルを記憶する。視聴者情報テーブルは、本情報提供システムにおいてサービスの提供対象となる視聴者に関する情報が登録されたテーブルである。図１０は、視聴者情報テーブルのデータ構成の一例を示す図である。視聴者情報テーブルは、「視聴者名」、「映像提示装置の通信アドレス」、「携帯端末の通信アドレス」、及び「ナビゲーション装置の通信アドレス」の項目を備える。「視聴者名」はサービスの提供対象となる視聴者の識別情報であり、図１０の例では視聴者の名前が採用されている。「映像提示装置の通信アドレス」は、視聴者が所有する映像提示装置２００の通信アドレスである。「携帯端末の通信アドレス」は、視聴者が携帯する携帯端末５００の通信アドレスである。「ナビゲーション装置の通信アドレス」は視聴者が所有するナビゲーション装置６００の通信アドレスである。
【０１０５】
通信部１２０は、映像提示装置２００から送信された入力通知を受信し、特定部１０２に渡す。また、通信部１２０は、提示部１０４からある１の映像提示装置２００に対する商品提供者情報等の送信依頼を受け付け、この１の映像提示装置２００に商品提供者情報等を送信する。また、通信部１２０は、商品提供者サーバ４００から送信された各商品に対する価格の設定依頼を受け付けて登録部１０５に渡す。その他、通信部１２０は、情報処理装置１００宛てに送信されたデータを受信して各ブロックに渡すと共に、各ブロックからデータの送信依頼を受け付け、該当する送信先に依頼されたデータを送信する。
【０１０６】
なお、図２において、特定部１０２、選択部１０３、提示部１０４、登録部１０５、計数部１０７、及び視聴者数提示部１０８は、例えば、コンピュータを情報処理装置１００として機能させるための情報処理プログラムにより構成され、情報処理プログラムをＣＰＵが実行することで実現される。情報処理プログラムは、例えばコンピュータが備えるＲＯＭまたはＲＡＭに格納されており、情報処理装置１００は、情報処理プログラムを読み出してＣＰＵが実行するように構成されている。但し、これは一例にすぎず、特定部１０２、選択部１０３、提示部１０４、登録部１０５、計数部１０７、及び視聴者数提示部１０８は、ＡＳＩＣ（Application-Specific Integrated Circuit）またはＦＰＧＡ（Field Programmable Gate Arrays）等の専用のハードウェア回路により構成されてもよい。また、商品提供者情報記憶部１０６及び位置情報記憶部１０９は、例えば、不揮発性の記憶装置により構成される。また、通信部１２０は、通信ネットワークＮＴを介して情報処理装置１００に接続させるための通信回路により構成される。
【０１０７】
図３は、映像提示装置２００の機能構成の一例を示すブロック図である。映像提示装置２００は、赤外線インターフェース（Ｉ／Ｆ）２０１、通信部２０２、ＧＰＳ（Global Positioning System）センサ２０３、表示部２０４、処理部２０５、及び放送波取得部２０６を備える。映像提示装置２００を構成する各ブロックは内部バスを介して相互に接続されている。
【０１０８】
赤外線Ｉ／Ｆ２０１は、例えば、赤外線通信を行う通信回路により構成され、リモコン３００から送信される各種コマンドを受信する。ここで、コマンドとしては、映像提示装置２００のチャンネルを設定するためのコマンドや、音量を調整するためのコマンドや、画質を調整するためのコマンドが含まれる。更に、本実施の形態では、コマンドとして、興味指示ボタンが押されたことを示すコマンドが含まれる。
【０１０９】
通信部２０２は、映像提示装置２００を通信ネットワークＮＴを介して情報処理装置１００、商品提供者サーバ４００、携帯端末５００およびナビゲーション装置６００に接続させるための通信回路により構成されている。例えば、興味指示ボタンが押されたことを示すコマンドを赤外線Ｉ／Ｆ２０１が受信すると、通信部２０２は、映像提示装置２００の通信アドレス、入力時刻、及びチャンネル情報を含む入力通知を情報処理装置１００に送信する。
【０１１０】
ＧＰＳセンサ２０３は、ＧＰＳ衛星と通信し、映像提示装置２００の位置情報を取得する。表示部２０４は、液晶表示パネルや有機ＥＬパネル等の表示パネルにより構成される。例えば、表示部２０４は、放送波の映像や情報処理装置１００から送信された商品提供者情報等を表示する。
【０１１１】
処理部２０５は、例えば、ＡＳＩＣやＦＰＧＡ等の専用のハードウェア回路により構成され、映像提示装置２００の全体制御を司る。例えば、処理部２０５は、情報処理装置１００が送信した商品提供者のＵＲＬを通信部２０２が受信すると、そのＵＲＬにアクセスし、商品提供サイトを表示部２０４に表示させる。また、例えば、興味指示が入力されたことを示すコマンドを赤外線Ｉ／Ｆ２０１が受信すると、処理部２０５は、入力通知を生成し、通信部２０２を介して情報処理装置１００に送信する。また、例えば、処理部２０５は、放送波取得部２０６により復調された放送波の映像を表示部２０４に表示させる。
【０１１２】
放送波取得部２０６は、例えば、チューナにより構成され、リモコン３００等を用いて視聴者により設定されたチャンネルの放送波を検波し、その放送波を復調して処理部２０５に渡す。
【０１１３】
リモコン３００は、視聴者からの操作を受け付ける。図１１は、リモコン３００の外観の一例を示した図である。図１１に示すようにリモコン３００は、映像提示装置２００をオンオフするための「電源」ボタン、サイクリックにチャンネルを切り替える「チャンネル」ボタン、チャンネル番号を直接入力するための「１」〜「１２」のテンキー、及び映像提示装置２００が出力する音声の音量を調節するための「音量」ボタン等が含まれる。特に、図１１の例では、エンマークが記載された興味指示ボタン３０１が設けられている。視聴者は映像提示装置２００に表示された映像を視聴し、映像に含まれる商品に興味を持つと興味指示ボタン３０１を押下する。
【０１１４】
図４は、携帯端末５００の機能構成の一例を示すブロック図である。携帯端末５００は、ＧＰＳセンサ５０１、表示部５０２、表示制御部５０３、通信部５０４、記憶部５０５、及び処理部５０６を備える。
【０１１５】
ＧＰＳセンサ５０１はＧＰＳ衛星と通信し、携帯端末５００の位置情報を取得する。表示部５０２は、液晶ディスプレイや有機ＥＬディスプレイにより構成される。例えば、携帯端末５００がスマートフォンやタブレット端末であれば、表示部５０２はタッチパネルを備える。表示制御部５０３は、例えば、ユーザの指等の接触物が表示部５０２が備えるタッチパネルに接触すると接触位置を検知し、接触位置においてＧＵＩ部品（例えば、アイコン）が表示されていれば、ユーザがそのＧＵＩ部品を操作したと判定する。
【０１１６】
通信部５０４は、例えば、携帯端末５００を通信ネットワークＮＴ（例えば、インターネット）または携帯電話通信網を介して情報処理装置１００、映像提示装置２００、商品提供者サーバ４００およびナビゲーション装置６００に接続させるための通信回路により構成されている。
【０１１７】
記憶部５０５は、例えば、不揮発性の記憶装置により構成され、携帯端末５００のオペレーティングシステムやアプリケーションソフトウェアを記憶している。処理部５０６は、例えば、ＡＳＩＣやＦＰＧＡ等の専用のハードウェア回路により構成され、携帯端末５００の全体制御を司る。
【０１１８】
図５は、ナビゲーション装置６００の機能構成の一例を示すブロック図である。ナビゲーション装置６００は、ＧＰＳセンサ６０１、表示部６０２、通信部６０３、処理部６０４、操作部６０５、及び記憶部６０６を備える。
【０１１９】
ＧＰＳセンサ６０１は、ＧＰＳ衛星と通信し、ナビゲーション装置６００の位置情報を取得する。表示部６０２は、液晶表示パネルや有機ＥＬパネル等で構成され、地図画像等を表示する。
【０１２０】
通信部６０３は、ナビゲーション装置６００を通信ネットワークＮＴを介して情報処理装置１００、映像提示装置２００、商品提供者サーバ４００および携帯端末５００に接続させる通信回路により構成されている。処理部６０４は、ＡＳＩＣやＦＰＧＡ等の専用のハードウェア回路により構成され、ナビゲーション装置６００の全体制御を司る。例えば、処理部６０４は、操作部６０５を用いて目的地が入力されると、ＧＰＳセンサ６０１が検知した現在位置から目的地までの経路を記憶部６０６に記憶された地図データを用いて探索し、探索した経路を地図画像にオーバラップさせて表示部６０２に表示させる。
【０１２１】
操作部６０５は、ユーザからの操作を受け付ける操作ボタン等により構成される。記憶部６０６は、例えば、不揮発性の記憶装置により構成され、地図データ等を記憶する。
【０１２２】
図６は、商品提供者サーバ４００の機能構成の一例を示すブロック図である。商品提供者サーバ４００は、通信部４０１、表示部４０２、操作部４０３、処理部４０４、及び記憶部４０５を備える。
【０１２３】
通信部４０１は、商品提供者サーバ４００を通信ネットワークＮＴを介して情報処理装置１００、映像提示装置２００、携帯端末５００、及びナビゲーション装置６００に接続させる通信回路により構成される。例えば、通信部４０１は、商品提供者による各商品の価格の設定依頼を処理部４０４から受け付け、その設定依頼を情報処理装置１００に送信する。また、例えば、通信部４０１は、情報処理装置１００から送信される競売表示画面を受信する。
【０１２４】
表示部４０２は、液晶パネルや有機ＥＬパネルにより構成され、処理部４０４の制御の下、種々の画像を表示する。例えば、表示部４０２は、情報処理装置１００から送信された競売表示画面を表示する。
【０１２５】
操作部４０３は、キーボードやマウス等の入力装置により構成される。例えば、操作部４０３は、商品提供者サーバ４００のオペレータにより入力される各商品に対する価格の入力を受け付ける。
【０１２６】
処理部４０４は、例えば、ＣＰＵにより構成され、商品提供者サーバの全体制御を司る。例えば、処理部４０４は、通信部４０１が情報処理装置１００から送信された競売表示画面のデータを受信すると、競売表示画面を表示部４０２に表示させる。
【０１２７】
記憶部４０５は、例えば、不揮発性の記憶装置により構成され、コンピュータを商品提供者サーバ４００として機能させるプログラム等を記憶する。処理部４０４は、記憶部４０５に記憶されたプログラムを読み出して実行させることにより、コンピュータは商品提供者サーバ４００として機能する。
【０１２８】
図１２は、実施の形態１における情報提供システムの処理の流れの一例を示すシーケンス図である。以下のシーケンス図では、情報処理装置１００は、コマーシャル（以下、「ＣＭ」と略す。）をコンテンツとして採用し、ＣＭの商品を特定するものとする。また、情報処理装置１００は、例えば、映像提示装置２００が受信可能な全チャンネルの放送波を受信し、受信した放送波からＣＭを特定するものとする。
【０１２９】
まず、商品提供者サーバ４００は、商品毎の価格を設定し、提示する設定依頼を情報処理装置１００に送信する（Ｓ１０４１）。これにより、情報処理装置１００が設定依頼を受信すると、登録部１０５は、受信した設定依頼に示される価格等を、商品提供者情報テーブルに登録する。なお、図１２の例では、Ｓ１０４１の処理は、Ｓ１０３１の手前に設けられているが、商品提供者サーバ４００から価格の設定依頼が送信される度に随時実行される。
【０１３０】
次に、情報処理装置１００の特定部１０２は、受信している放送波を用いてＣＭの商品を特定する（Ｓ１０３１）。この場合、特定部１０２は、例えば、事前に入手した放送スケジュールを用いてＣＭが放送されたか否かを判定し、ＣＭが放送されたと判定すると、上記の特定方法１〜４の手法を用いてＣＭの商品を特定すればよい。
【０１３１】
次に、情報処理装置１００の選択部１０３は、Ｓ１０３１で特定された商品を例えば最安価格で提供する１の商品提供者を商品提供者情報テーブル（図７）を用いて選択する。
【０１３２】
一方、映像提示装置２００は、放送波を受信してＣＭの映像を表示する（Ｓ１０２１）。ここで、Ｓ１０２１に示すＣＭと、Ｓ１０３１に示すＣＭとは同じＣＭを表している。
【０１３３】
Ｓ１０２１において映像提示装置２００に表示されたＣＭに対して興味を持った視聴者は、興味指示を入力する（Ｓ１００１）。この場合、視聴者は、例えば、図１１に示す興味指示ボタン３０１を押下することで興味指示を入力すればよい。
【０１３４】
興味指示ボタン３０１が押下されると、リモコン３００は、興味指示の入力を受け付け（Ｓ１０１１）、興味指示の入力を示すコマンドを映像提示装置２００に送信する。
【０１３５】
興味指示の入力を示すコマンドを受信した映像提示装置２００は、興味指示が入力されたときに映像提示装置２００が受信していた放送波のチャンネルを示すチャンネル情報と、興味指示の入力時刻とを含む入力通知を生成し、情報処理装置１００に送信する（Ｓ１０２２）。
【０１３６】
次に、情報処理装置１００の提示部１０４は、Ｓ１０３２で選択された１の商品提供者のＵＲＬを位置情報テーブル（図８）から特定し、特定したＵＲＬを映像提示装置２００に送信する（Ｓ１０３３）。
【０１３７】
ＵＲＬを受信した映像提示装置２００は、ＵＲＬを指定して商品提供者サーバ４００にアクセスし、商品提供サイトのＨＴＭＬデータを受信する（Ｓ１０２３）。なお、ここでは、ＨＴＭＬ（ＨｙｐｅｒＴｅｘｔ  Ｍａｒｋｕｐ  Ｌａｎｇｕａｇｅ）で記述されたＨＴＭＬデータが採用されているが、これに限定されず、例えば、ＸＭＬ（Ｅｘｔｅｎｓｉｂｌｅ  Ｍａｒｋｕｐ  Ｌａｎｇｕａｇｅ）、ＪＳＯＮ（ＪａｖａＳｃｒｉｐｔ（登録商標）  Ｏｂｊｅｃｔ  Ｎｏｔａｔｉｏｎ）等の他の言語で記述されたデータが採用されてもよい。このことは、後述する図１３のＳ１１２６、図１４のＳ１６０６、Ｓ１６１２、Ｓ１６１９、及び図１６のＳ１２１５でも同じである。
【０１３８】
次に、映像提示装置２００は、受信したＨＴＭＬデータを用いて商品提供サイトの画像を表示する（Ｓ１０２４）。
【０１３９】
次に、視聴者は、映像提示装置２００に表示された商品提供サイトを閲覧する（Ｓ１００２）。次に、視聴者は、商品を購入すると判断した場合、リモコン３００に商品の購入指示を入力する（Ｓ１００３）。次に、リモコン３００は、視聴者により入力された購入指示を受け付け（Ｓ１０１２）、購入指示が入力されたことを示すコマンドを映像提示装置２００に送信する（Ｓ１０１２）。このコマンドを受信した映像提示装置２００は、該当する商品の購入要求を商品提供者サーバ４００に送信する（Ｓ１０２５）。購入要求を受信した商品提供者サーバ４００は、視聴者による商品の購入を受注する（Ｓ１０４２）。これにより、商品提供者から後日郵送により商品が配達され、視聴者は商品を受け取る。
【０１４０】
図１２において、Ｓ１００１、Ｓ１０１１、Ｓ１０２２が受付ステップの一例に相当し、Ｓ１０３１が特定ステップの一例に相当し、Ｓ１０３２が選択ステップの一例に相当し、Ｓ１０３３、Ｓ１０２３、Ｓ１０２４が提示ステップの一例に相当する。
【０１４１】
なお、上記説明では、視聴者は映像提示装置２００をリモコン３００で操作する場合を説明した。但し、これは一例にすぎず、視聴者は携帯端末５００を用いて映像提示装置２００を操作してもよい。
【０１４２】
図１３は、実施の形態１の情報提供システムにおいて視聴者、リモコン３００及び映像提示装置２００の動作に注目した場合のシーケンス図である。映像提示装置２００は、放送波を受信し、ＣＭ１、ＣＭ２、ＣＭ３を順次に表示する（Ｓ１１２１、Ｓ１１２２、Ｓ１１２３）。視聴者は、映像提示装置２００が表示するＣＭ１、ＣＭ２、ＣＭ３を順次に視聴する（Ｓ１１０１、Ｓ１１０２、Ｓ１１０３）。そして、視聴者はＣＭ３の商品に興味を持ち興味指示を入力する（Ｓ１１０３）。すると、リモコン３００は興味指示の入力を受け付け（Ｓ１１１１）、興味指示が入力されたことを示すコマンドを映像提示装置２００に送信する。このコマンドを受信した映像提示装置２００は、チャンネル情報及び入力時刻を含む入力通知を生成し、情報処理装置１００に送信する（Ｓ１１２４）。
【０１４３】
入力通知を受信した情報処理装置１００はＣＭ３の商品を最安価格で提供する商品提供者の商品提供サイトのＵＲＬを映像提示装置２００に送信する（Ｓ１１２５）。このＵＲＬを受信した映像提示装置２００は、このＵＲＬを指定して商品提供サイトにアクセスし、ＣＭ３の商品を提供する商品提供サイトのＨＴＭＬデータを受信し、この商品提供サイトを表示する（Ｓ１１２６）。
【０１４４】
ＣＭ３の商品を提供する商品提供サイトを閲覧した視聴者はこの商品を購入すると判断すると（Ｓ１１０４）、この商品の購入指示を入力する（Ｓ１１０５）。リモコン３００は、この購入指示の入力を受け付け（Ｓ１１１２）、購入指示が入力されたことを示すコマンドを映像提示装置２００に送信する。このコマンドを受信した映像提示装置２００は、購入要求を商品提供者サーバ４００に送信する（Ｓ１１２７）。
【０１４５】
図１４は、実施の形態１の情報提供システムにおいて、情報処理装置１００及び商品提供者サーバ４００に着目したシーケンス図であり、図１３に対応したシーケンス図である。
【０１４６】
まず、商品提供者サーバ４００は、図１２のＳ１０４１と同様、商品毎に価格を提示した各商品の価格の設定依頼を情報処理装置１００に送信する（Ｓ１６０１）。ここでは、商品提供者サーバ４００は、各商品につき、押下数に応じて異なる価格、つまり、各商品につき、視聴者から興味指示が入力された回数に応じて異なる価格を提示する。
【０１４７】
次に、ＣＭ１を視聴した視聴者により興味指示が入力され、チャンネル情報及び興味指示の入力時刻を含む入力通知が映像提示装置２００から送信されたため（Ｓ１６０２）、情報処理装置１００の通信部１２０はこの入力通知を受信する。そして、情報処理装置１００の特定部１０２は、受信された入力通知を用いて、視聴者が興味を持つ商品を特定する。ここでは、特定部１０２は、ＣＭ１の商品を特定している。また、ここで、特定部１０２は、上述した特定方法１〜４のいずれかの手法を用いて視聴者が興味を持つ商品を特定すればよい。
【０１４８】
次に、情報処理装置１００の計数部１０７は、Ｓ１６０３で特定されたＣＭ１の商品に対する興味指示の入力回数を１カウントアップする（Ｓ１６０４）。また、選択部１０３は、計数部１０７がカウントしたＣＭ１の商品に対する興味指示の入力回数において、ＣＭ１の商品を最安価格で提供する１の商品提供者を商品提供者情報テーブル（図７）を用いて選択する（Ｓ１６０４）。
【０１４９】
次に、情報処理装置１００の提示部１０４は、Ｓ１６０４で選択した１の商品提供者のＵＲＬを位置情報テーブル（図８）を用いて特定し、映像提示装置２００に送信する（Ｓ１６０５）。
【０１５０】
次に、映像提示装置２００は受信したＵＲＬを指定して、商品提供者サーバ４００にアクセスし、商品提供サイトのＨＴＭＬデータを受信する（Ｓ１６０６）。
【０１５１】
一方、情報処理装置１００の視聴者数提示部１０８は、ＣＭ１の商品の押下数が更新された競売表示画面を生成し、商品提供者サーバ４００に送信する（Ｓ１６０７）。ここで、視聴者数提示部１０８は、競売表示画面に対する対価を支払っている全ての商品提供者の商品提供者サーバ４００に競売表示画面を送信してもよいし、Ｓ１６０４で選択された１の商品提供者の商品提供者サーバ４００のみに競売表示画面を送信してもよい。また、競売表示画面を所定時刻に一括して全ての商品提供者サーバ４００に送信する態様を採用する場合、視聴者数提示部１０８は、この所定時刻に更新後の押下数が反映された競売表示画面を商品提供者サーバ４００に送信すればよい。
【０１５２】
次に、ＣＭ２に対してＣＭ１と同様の処理が繰り返される（Ｓ１６０８〜Ｓ１６１３）。次に、ＣＭ３を視聴した視聴者により興味指示が入力され、その興味指示の入力通知が映像提示装置２００から送信されたため（Ｓ１６１４）、情報処理装置１００の通信部１２０は、その入力通知を受信する。
【０１５３】
次に、各商品の価格を変更するための設定依頼が商品提供者サーバ４００から送信されたため（Ｓ１６１５）、情報処理装置１００の通信部１２０はその設定依頼を受信する。
【０１５４】
ここで、情報処理装置１００の登録部１０５は、即座にこの設定依頼にしたがって、商品提供者情報テーブル（図７）を更新する。
【０１５５】
次に、情報処理装置１００の特定部１０２は、ＣＭ１と同様、ＣＭ３の商品を特定する（Ｓ１６１６）。次に、情報処理装置１００の選択部１０３は、登録部１０５により更新された商品提供者情報テーブルを用いてＣＭ３の商品を最安価格で提供する１の商品提供者を選択する（Ｓ１６１７）。
【０１５６】
これにより、商品提供者の各商品に対する価格の変更が即座に商品提供者情報テーブルに反映されるため、商品提供者の各商品の価格がダイナミックに変動しても、視聴者に対して最安価格で商品を提供する商品提供者を紹介できる。
【０１５７】
Ｓ１６１８〜Ｓ１６２０は、Ｓ１６０５〜Ｓ１６０７と同じであるため、説明を省略する。
【０１５８】
上述した商品提供者の選択方法は、例えば商品に対応するＣＭが放送された後に、商品提供者を選択する方法である。これ以外には、例えば、押下数や提示価格の更新によりダイナミックに変動した最安価格やそれに基づいた商品提供者の選択結果の情報を、映像提示装置２００に送信し、映像提示装置２００にて視聴者にリアルタイムで提示してもよい。
【０１５９】
次に、本情報提供システムの比較例について説明する。図１５は、比較例のシーケンス図であり、図１４に対応している。
【０１６０】
まず、商品提供者サーバ３４００は、商品毎の価格を設定し、提示する設定依頼を情報処理装置３１００に送信する（Ｓ３００１）。次に、情報処理装置３１００は、各商品につき、事前に決定されている１の商品提供者を各商品の商品提供者として決定する（Ｓ３０１１）。例えば、ＱＱ洗濯機の商品提供者としてＡ社が事前に決定されていれば、Ａ社の提示した価格に拘わらずＡ社がＱＱ洗濯機の商品提供者として決定される。したがって、Ｓ３００１において、例えば、ＱＱ洗濯機につき、Ｂ社がＡ社よりも安い価格を提示していたとしても、Ａ社が商品提供者として決定される。
【０１６１】
次に、ＣＭ１、ＣＭ２が順次放送されたため、情報処理装置３１００はＣＭ１、ＣＭ２の商品を順次に特定する（Ｓ３０１２、Ｓ３０１３）。
【０１６２】
次に、ＣＭ３を視聴した視聴者から興味指示が入力され、映像提示装置３２００からその興味指示の入力通知が送信され（Ｓ３０１４）、情報処理装置３１００はその入力通知を受信する。次に、情報処理装置３１００は、ＣＭ３の商品を特定する（Ｓ３０１５）。次に、情報処理装置３１００は、ＣＭ３の商品に対してＳ３０１１で事前に決定された商品提供者の商品提供サイトのＵＲＬを映像提示装置３２００に送信する（Ｓ３０１６）。次に、映像提示装置３２００は、受信したＵＲＬを指定して商品提供サイトにアクセスし、商品提供サイトのＨＴＭＬデータを受信し（Ｓ３０１７）、商品提供サイトの画像を表示する。
【０１６３】
このように、比較例では、ある１の商品につき事前に決定された１の商品提供者がその１の商品の商品提供者として決定されているため、視聴者は必ずしも最安価格でその１の商品を購入することができないという問題がある。
【０１６４】
一方、図１４のシーケンス図では、ある１の商品につき、最安価格を提示した１の商品提供者がその１の商品の商品提供者として決定され、その１の商品提供者の商品提供サイトが映像提示装置２００に提示される。そのため、視聴者は興味を示した商品を最安価格で購入できる。
【０１６５】
以上説明したように、実施の形態１では、１以上の商品提供者の各商品に対する価格が事前に登録された商品提供者情報テーブルを用いて、例えば、最安価格を提示した１の商品提供者が選択されている。そのため、視聴者により任意のタイミングで入力される興味指示に対しても速やかに最安価格を提示した１の商品提供者を選択し、視聴者に提示することができる。その結果、視聴者が興味指示を入力してから例えば最安価格を提示した１の商品提供者が視聴者に提示されるまでのレイテンシを低くすることができる。
【０１６６】
また、視聴者は例えばＣＭの視聴中にそのＣＭの商品に興味を持った場合、興味指示を入力すると、速やかに最安価格を提示する１の商品提供者の商品提供サイトが表示される。そのため、視聴者は欲しいと思った商品を直ぐに購入できる。
【０１６７】
また、ＣＭを視聴した視聴者が商品を欲しいと思ったときは、視聴者の購入意欲が高いときであるため、購入意欲が高いときに視聴者に商品購入のチャンスを与えることができる。その結果、商品提供者は、購入意欲の高いタイミングを逃すことなく、視聴者に商品購入のチャンスを与えることができ、商品をより多く販売することができる。
【０１６８】
また、興味指示を入力するという気軽な操作を行うだけで、視聴者が興味を持った商品を提供する商品提供サイトが視聴者に提示されるため、商品提供サイトへのアクセス数を増大させることができる。その結果、商品提供者は、より多くの商品を販売することができる。
【０１６９】
次に、実施の形態１の変形例について説明する。この変形例は、リモコン３００ではなく携帯端末５００を用いて視聴者が興味指示を入力することを特徴とする。図１６は、実施の形態１の変形例における処理の一例を示すシーケンス図である。
【０１７０】
この変形例では、携帯端末５００に視聴者が興味指示を入力するためのアプリケーション（以下、アプリと略す。）が事前にインストールされているものとする。また、情報処理装置１００は、各映像提示装置２００が現在設定しているチャンネル情報を管理しているものとする。
【０１７１】
まず、視聴者は携帯端末５００に対してアプリの起動指示を入力する（Ｓ１２０１）。アプリの起動指示の入力を受け付けた携帯端末５００はアプリを起動させる（Ｓ１２１１）。
【０１７２】
一方、映像提示装置２００は、情報処理装置１００に対してチャンネル情報を送信する（Ｓ１２２１）。ここで、映像提示装置２００は、例えば、視聴者がチャンネルを変更する都度、変更後のチャンネルを示すチャンネル情報を情報処理装置１００に送信すればよい。
【０１７３】
アプリを起動した携帯端末５００は、情報処理装置１００にアクセスし、映像提示装置２００が現在設定しているチャンネルを示すチャンネル情報を取得する（Ｓ１２１２）。
【０１７４】
このように、情報処理装置１００に映像提示装置２００のチャンネル情報を管理させ、携帯端末５００に情報処理装置１００から映像提示装置２００のチャンネル情報を取得させることで、映像提示装置２００の設計変更を最小限に留めることができる。
【０１７５】
つまり、携帯端末５００が映像提示装置２００と通信して映像提示装置２００から直接チャンネル情報を取得する態様も考えられる。しかしながら、この場合、映像提示装置２００に携帯端末５００と通信するための専用の通信回路等（例えば、ブルーツース（登録商標）等の通信回路等）を追加する必要があり、映像提示装置２００のコストアップを招来する。また、既存の映像提示装置２００を本情報提供システムに適用させることができなくなる可能性がある。一方、近年、インターネットに接続可能な映像提示装置２００が広く普及している。
【０１７６】
そこで、上記構成を採用することで、インターネットに接続可能な映像提示装置２００であれば、別途、携帯端末５００との通信回路を付加することなく、本情報提供システムに適用することができる。したがって、本情報提供システムに適用可能な映像提示装置２００の台数が増大し、本情報提供システムを広く普及させることが可能となる。
【０１７７】
Ｓ１２０２〜Ｓ１２０４は、図１３のＳ１１０１〜Ｓ１１０３と同じであるため、詳細な説明は省略する。Ｓ１２２２〜Ｓ１２２４は、図１３のＳ１１２１〜Ｓ１１２３と同じであるため、詳細な説明は省略する。
【０１７８】
Ｓ１２１３において、携帯端末５００は、ＣＭ３に対する視聴者の興味指示を受け付ける。次に、携帯端末５００は、Ｓ１２１２で取得したチャンネル情報と興味指示の入力時刻とを含む入力通知を情報処理装置１００に送信する（Ｓ１２１４）。
【０１７９】
入力通知を受信した情報処理装置１００はＣＭ３の商品を最安価格で提供する商品提供者の商品提供サイトのＵＲＬを携帯端末５００に送信する（Ｓ１２２５）。このＵＲＬを受信した携帯端末５００は、このＵＲＬを指定して商品提供サイトにアクセスし、ＣＭ３の商品を提供する商品提供サイトのＨＴＭＬデータを受信し、この商品提供サイトを表示する（Ｓ１２１５）。
【０１８０】
ＣＭ３の商品を提供する商品提供サイトを閲覧した視聴者はこの商品を購入すると判断すると（Ｓ１２０５）、この商品の購入指示を入力する（Ｓ１２０６）。携帯端末５００は、この購入指示の入力を受け付け（Ｓ１２１６）、購入要求を商品提供者サーバ４００に送信する。
【０１８１】
この変形例では、アプリは、視聴者が興味指示を入力するためのアプリであったが、これに限定をされる必要はない。例えば、アプリは視聴者が興味指示を入力するのに加え、Ｓ１２１３〜Ｓ１２１６の処理を行うアプリであってもよい。
【０１８２】
図１７は、実施の形態１の変形例において、携帯端末５００に表示される表示画面の一例を示した図である。この表示画面は、例えば、図１６のＳ１２１５において、商品提供者サーバ４００から送信されるＨＴＭＬデータを用いて携帯端末５００が作成した画面である。表示画面には、商品画像表示欄１９０１、商品情報表示欄１９０２、数量入力欄１９０３、金額表示欄１９０５、購入ボタン１９０６、予約ボタン１９０７、お気に入り登録ボタン１９０８、及び閉じるボタン１９０９が設けられている。
【０１８３】
商品画像表示欄１９０１には、興味指示を入力した際に映像提示装置２００に提示されてた商品、つまり、視聴者が興味を持つ商品の画像が表示されている。この例では、視聴者は○○ジュースが提示されている際に興味指示を入力したため、○○ジュースの画像が表示されている。商品情報表示欄１９０２には、商品画像表示欄１９０１に表示された商品に関する情報が表示されている。この例では、○○ジュースの名前、○○ジュースの最安値（最安価格）、○○ジュースに対する興味指示の入力回数が表示されている。また、商品情報表示欄１９０２には、視聴者が興味指示を入力した際に閲覧していた番組の番組名とその番組を放送していた放送局のチャンネル情報とが表示されている。
【０１８４】
なお、商品画像表示欄１９０１及び商品情報表示欄１９０２に表示された商品の最安価格、興味指示の入力回数、番組名、及び番組のチャンネル情報は、例えば、携帯端末５００が必要に応じて情報処理装置１００に問い合わせることで取得すればよい。
【０１８５】
数量入力欄１９０３は、視聴者が該当する商品の購入個数を入力するための欄である。携帯端末５００は、携帯端末５００を操作することで視聴者により入力された数量をこの欄に表示させる。金額表示欄１９０５には、商品を購入するために必要となる金額が表示される。携帯端末５００は、数量入力欄１９０３に入力された数量に商品の価格（ここでは、商品情報表示欄１９０２に表示された最安値）を乗じることで、金額を算出し、その金額を金額表示欄１９０５に表示させる。
【０１８６】
購入ボタン１９０６は、視聴者による商品の購入指示を受け付けるボタンである。視聴者により購入ボタン１９０６が押下されると、購入要求が商品提供者サーバ４００に送信される。
【０１８７】
予約ボタン１９０７は、視聴者が該当する商品を予約リストに登録するためのボタンである。視聴者は該当する商品に対して興味を持ったが購入を保留することもある。この場合、視聴者は予約ボタン１９０７を押下し、該当する商品を予約リストに登録しておく。これにより、後で、視聴者は、商品を購入しようと考えた場合、予約リストを参照して、該当する商品に関する情報を閲覧できる。その結果、再度、視聴者は該当する商品に対して興味指示を入力して、商品提供者サーバ４００にアクセスしなくても、該当する商品に関する情報を閲覧できる。
【０１８８】
視聴者により予約ボタン１９０７が押下されると、携帯端末５００は、該当する商品の商品情報や商品提供者情報を予約リストに登録する。ここで、予約リストは携帯端末５００が記憶してもよいし、情報処理装置１００が記憶してもよい。予約リストを情報処理装置１００が記憶する態様を採用する場合、携帯端末５００は、予約された商品の商品情報を情報処理装置１００に送信すればよい。
【０１８９】
お気に入り登録ボタン１９０８は、携帯端末５００が現在アクセスしている商品提供サイトのＵＲＬをブックマークに登録するためのボタンである。これにより、視聴者は、後で、ブックマークを参照し、この商品提供サイトにアクセスできる。なお、ブックマークは映像提示装置２００が管理してもよいし、情報処理装置１００が管理してもよい。
【０１９０】
なお、図１７に示す表示画面は映像提示装置２００に表示されてもよい。この場合、映像提示装置２００は、商品が予約されたことを示す予約通知を視聴者が所有するパソコンまたは携帯端末５００等の端末装置に通知してもよい。この場合、映像提示装置２００は、例えば、情報処理装置１００を介して予約通知を端末装置に送信すればよい。
【０１９１】
図１８は、予約通知を表示する端末装置の表示画面の一例を示す図である。図１８に示すように、端末装置の表示画面の例えば下部には、「テレビから予約した「○○ジュース」を予約リストに設定しています。」と表示され、「○○ジュース」を映像提示装置２００において視聴者が予約したことが報知されている。
【０１９２】
そして、視聴者は、端末装置において予約リストの表示指示を入力すると予約リストが表示される。図１９は、視聴者により予約リストの表示指示が入力された際に端末装置が表示する予約リストの表示画面の一例を示す図である。
【０１９３】
図１９の表示画面には、左半分に主画像表示欄２６０１が設けられ、右半分に予約リスト２６０２が設けられている。主画像表示欄２６０１は端末装置の主画像が表示され、図１９の例ではブラウザの画面が表示されている。予約リスト２６０２には、視聴者が映像提示装置２００において予約した商品の商品情報が一覧表示されている。
【０１９４】
図１９の例では、視聴者は「○○ジュース」、「ＸＸ口紅」、「○○テレビ」、及び「□□洗剤」を予約したため、これら４つの商品の商品情報が予約リスト２６０２に一覧表示されている。
【０１９５】
図２０は、実施の形態１の変形例において、視聴者が興味指示を入力する際に携帯端末５００に表示される表示画面の一例を示した図である。この表示画面は、例えば、図１６のＳ１２１３において表示される。この表示画面には、商品画像表示欄２９０１、商品情報表示欄２９０２、及び欲しいねボタン２９０３が設けられている。
【０１９６】
商品画像表示欄２９０１及び商品情報表示欄２９０２は、図１７の同一名称の欄と同じである。これらの欄に表示される情報は、例えば、携帯端末５００が必要に応じて情報処理装置１００に問い合わせることで取得すればよい。
【０１９７】
（実施の形態２）
実施の形態２による情報提供システムは、商品提供者の実店舗に関する情報をナビゲーション装置６００に送信して１の商品提供者を視聴者に提示することを特徴とする。なお、本実施の形態において、実施の形態１と同じ構成は同一の符号を付して説明を省略する。
【０１９８】
図２１は、実施の形態２における情報提供システムの処理の流れの一例を示すシーケンス図である。Ｓ１３０１、Ｓ１３３１、Ｓ１３４１、Ｓ１３５１、Ｓ１３６１は、図１２のＳ１００１、Ｓ１０１１、Ｓ１０２１、Ｓ１０３１、Ｓ１０４１と同じであるため、説明を省略する。
【０１９９】
映像提示装置２００は、興味指示が入力されたことを示すコマンドをリモコン３００から受信すると、距離条件の入力画面を表示する（Ｓ１３４２）。ここで、距離条件としては、例えば、視聴者が実際に来店して商品を購入してもよいと考える実店舗までの距離範囲を示す。距離条件の入力手法としては、例えば、距離範囲を示す数値を入力する手法が採用されてもよいし、例えば、県、市、町、村等の情報を入力する手法が採用されてもよい。
【０２００】
次に、視聴者は、距離条件の入力画面を見て、距離条件を入力する（Ｓ１３０２）。次に、リモコン３００は距離条件の入力を受け付け（Ｓ１３３２）、距離条件を示すコマンドを映像提示装置２００に送信する。
【０２０１】
距離条件を示すコマンドを受信すると、映像提示装置２００は、入力通知を情報処理装置１００に送信する（Ｓ１３４３）。ここでは、入力通知にはチャンネル情報及び入力時刻に加えて距離条件が含まれる。
【０２０２】
入力通知を受信すると、情報処理装置１００の特定部１０２は、視聴者の現実空間での位置情報を取得する（Ｓ１３５２）。ここで、特定部１０２は、映像提示装置２００の現実空間での位置情報を視聴者の現実空間での位置情報として採用すればよい。この場合、特定部１０２は、例えば、下記の処理を行えばよい。まず、特定部１０２は、通信部１２０を介して映像提示装置２００に位置情報を問い合わせる問い合わせ通知を送信する。この通知を受信すると、映像提示装置２００は、ＧＰＳセンサ２０３に映像提示装置２００の位置情報を取得させ、取得させた位置情報を情報処理装置１００に送信する。そして、特定部１０２は通信部１２０を介して映像提示装置２００の位置情報を取得する。なお、映像提示装置２００が例えば事前に自身の位置情報を保持している場合は、映像提示装置２００は保持している位置情報を情報処理装置１００に送信すればよい。この場合、映像提示装置２００からＧＰＳセンサ２０３が省かれてもよい。
【０２０３】
但し、これは一例であり、特定部１０２は、例えば、視聴者が携帯する携帯端末５００の現実空間での位置情報を視聴者の現実空間の位置情報として採用しもよい。この場合、特定部１０２は、通信部１２０を介して視聴者が携帯する携帯端末５００に位置情報の問い合わせ通知を送信し、携帯端末５００の位置情報を取得すればよい。
【０２０４】
次に、情報処理装置１００の選択部１０３は、入力通知に含まれる距離条件を用いて商品提供者情報テーブルの中から視聴者の現在の位置に対して距離条件に示す距離範囲内に位置する商品提供者の実店舗を抽出する（Ｓ１３５３）。
【０２０５】
次に、選択部１０３は、Ｓ１３５３で抽出した実店舗の中から最安価格を提示する商品提供者の１の実店舗を選択する（Ｓ１３５４）。
【０２０６】
次に、提示部１０４は、Ｓ１３５１で特定された商品の商品情報とＳ１３５４で選択した１の実店舗に関する情報とを含む提示情報をナビゲーション装置６００に送信する（Ｓ１３５５）。ここで、提示部１０４は、図８に示す位置情報テーブルを用いて該当する実店舗の位置情報（緯度、経度）及び実店舗の住所を抽出し、抽出した位置情報及び住所を実店舗に関する情報として採用すればよい。その他、提示部１０４は、実店舗名、及び実店舗が属する商品提供者名を実店舗に関する情報に含ませてもよい。なお、提示部１０４は、図１０に示す視聴者情報テーブルを参照し、該当するナビゲーション装置６００の通信アドレスを特定すればよい。
【０２０７】
次に、ナビゲーション装置６００は提示情報を受信し、提示情報に含まれる実店舗の位置情報を目的値として設定するための目的地設定画面を表示する（Ｓ１３１１）。次に、視聴者が目的地設定画面を閲覧し（Ｓ１３０３）、目的地設定指示を入力すると（Ｓ１３０４）、ナビゲーション装置６００は実店舗の位置情報を目的地として設定する（Ｓ１３１２）。以後、ナビゲーション装置６００は、視聴者を実店舗まで案内する。なお、Ｓ１３５５において提示部１０４が提示情報を送信する際、ナビゲーション装置６００を搭載する自動車のエンジンがかけられておらず、ナビゲーション装置６００の電源がオフされていることも考えられる。この場合、提示部１０４は、ナビゲーション装置６００がオンしたときにナビゲーション装置６００にオンしたことを通知させ、この通知をトリガーに提示情報を送信してもよい。また、図２１では、目的地設定画面を、一旦、視聴者に提示し、目的地の設定指示の入力を受け付けて目的地が設定されているが、これは一例にすぎない。例えば、ナビゲーション装置６００は、提示情報を受信すると自動的に提示情報に含まれる位置情報を目的地として設定してもよい。
【０２０８】
このように、実施の形態２の情報提供方法によれば、視聴者が興味指示を入力すると、興味指示を入力した際に映像提示装置２００に提示されていた商品を最安価格で提供する実店舗の位置情報を含む提示情報がナビゲーション装置６００に送信される。そのため、視聴者はナビゲーション装置６００に対して実店舗の住所等を入力して目的地を設定する作業が不要となり、目的地を設定する際のナビゲーション装置６００における処理ステップ数及びユーザの操作ステップ数を減少させることができる。そして、ナビゲーション装置６００に対して実店舗を目的地として設定する作業が容易となるため、腰が重い視聴者に対しても実店舗に出向いて商品を購入しようとする意欲を与え、実店舗の集客数を増大させることができる。
【０２０９】
（実施の形態３）
実施の形態３は、映像提示装置２００とナビゲーション装置６００とを連携させ、１の商品提供者の実店舗を視聴者に提示することを特徴とする。なお、本実施の形態において、実施の形態１、２と同一構成は同一の符号を付し、説明を省く。
【０２１０】
図２２、図２３は、実施の形態３における情報提供システムの処理の流れの一例を示すシーケンス図である。Ｓ１４０１、Ｓ１４０２は図２１のＳ１３０１、Ｓ１３０２と同じであるため、詳細な説明を省略する。Ｓ１４３１、Ｓ１４３２は図２１のＳ１３３１、Ｓ１３３２と同じであるため、詳細な説明を省略する。Ｓ１４４１〜Ｓ１４４３は図２１のＳ１３４１〜Ｓ１３４３と同じであるため、詳細な説明を省略する。Ｓ１４５１〜Ｓ１４５５は図２１のＳ１３５１〜Ｓ１３５５と同じであるため、詳細な説明を省略する。Ｓ１４６１は図２１のＳ１３６１と同じであるため、詳細な説明を省略する。
【０２１１】
Ｓ１４４４において、情報処理装置１００から送信された提示情報を用いて、映像提示装置２００は、提示画面を表示する。ここで、提示情報には、実施の形態２で説明したように、特定部１０２により特定された商品の商品情報と、選択部１０３により選択された１の実店舗の関する情報とが含まれる。また、提示画面は、特定された商品の商品情報と、選択された実店舗に関する情報とが関連付けられた画像である。
【０２１２】
Ｓ１４０３において、視聴者は映像提示装置２００に提示された提示画像を閲覧する。
【０２１３】
次に、視聴者は、ナビ設定指示を入力する（Ｓ１４０４）。次に、リモコン３００はナビ設定指示を受け付け（Ｓ１４３３）、ナビ設定指示が入力されたことを示すコマンドを映像提示装置２００に送信する。このコマンドを受信した映像提示装置２００は、ナビ設定要求を情報処理装置１００に送信する（Ｓ１４４５）。ナビ設定要求を受信した情報処理装置１００は（Ｓ１４５６）、映像提示装置２００に送信した提示情報と同じ提示情報をナビゲーション装置６００に送信する（Ｓ１４５７）。
【０２１４】
ナビゲーション装置６００は、この提示情報を受信すると（Ｓ１４２１）、図２１のＳ１３１１と同様、目的地設定画面を表示する（Ｓ１４２２）。Ｓ１４０５、Ｓ１４０６、Ｓ１４２３は図２１のＳ１３０３、Ｓ１３０４、Ｓ１３１２と同じであるため、ここでは詳細な説明を省略する。
【０２１５】
図２４は、実施の形態３において、映像提示装置２００に提示される提示画面の一例を示す図である。この提示画面は、例えば、図２２のＳ１４５５において情報処理装置１００から送信される提示情報を用いて映像提示装置２００が作成した画面である。この提示画面は、例えば、図２２のＳ１４４４において表示される。この提示画面には、商品画像表示欄１７０１、距離表示欄１７０２、数量表示欄１７０３、金額表示欄１７０４、ナビ設定ボタン１７０５、予約ボタン１７０６、お気に入り登録ボタン１７０７、閉じるボタン１７０８、及び商品情報表示欄１７０９が設けられている。
【０２１６】
実施の形態３では、実店舗が視聴者に提示されるため、商品情報表示欄１７０９には、該当する商品を提供する実店舗に関する情報が表示されている。
【０２１７】
商品画像表示欄１７０１には、視聴者が興味を持つ商品の画像が表示される。図２４に示す提示画像は映像提示装置２００に表示される画像であるため、商品画像表示欄１７０１には映像提示装置２００が受信した放送波の映像であって該当する商品を含む映像が表示される。
【０２１８】
距離表示欄１７０２には、視聴者が実際に来店してもよいと考える実店舗の距離条件が入力される。図２４の例では、距離条件として３ｋｍが入力されているため、情報処理装置１００は、視聴者の位置から３ｋｍ以内に位置する実店舗の中から、最安価格で該当する商品を提供する１の実店舗を選択する。
【０２１９】
数量表示欄１７０３及び金額表示欄１７０４は、図１７の同一名称の欄と同じである。
【０２２０】
ナビ設定ボタン１７０５は、提示情報をナビゲーション装置６００に送信するためのボタンである。ナビ設定ボタン１７０５がリモコン３００を操作して選択されると、映像提示装置２００は、ナビ設定要求を情報処理装置１００に送信し、情報処理装置１００からナビゲーション装置６００に提示情報が送信される。
【０２２１】
予約ボタン１７０６は、図１７と同様、視聴者が該当する商品を予約リストに登録するためのボタンである。この予約ボタン１７０６がリモコン３００を操作して視聴者に選択されると、映像提示装置２００は該当する商品を視聴者が予約したことを示す情報を情報処理装置１００に送信し、情報処理装置１００は、自身が管理する該当する視聴者の予約リストに該当する商品の商品情報を登録する。なお、予約リストは情報処理装置１００ではなく映像提示装置２００に設けられてもよい。
【０２２２】
お気に入り登録ボタン１７０７は、映像提示装置２００が現在表示している提示画面をブックマークに登録するためのボタンである。これにより、視聴者は、後で、ブックマークを参照し、この提示画面を映像提示装置２００に表示できる。ブックマークは映像提示装置２００が管理してもよいし、情報処理装置１００が管理してもよい。閉じるボタン１９０９は、この提示画面を閉じるためのボタンである。
【０２２３】
図２５は、図２４に示す提示画面の変形例を示した図である。図２４との相違点は、距離表示欄１７０２に代えて対象地域入力欄１８０２が設けられている点、ナビ設定ボタン１７０５に代えて目的地設定ボタン１８０５が設けられている点にある。商品画像表示欄１８０１、数量表示欄１８０３、金額表示欄１８０４、予約ボタン１８０６、お気に入り登録ボタン１８０７、及び閉じるボタン１８０８は図２４の同一名称の欄及びボタンと同じである。
【０２２４】
図２５では、視聴者は距離条件として数値ではなく現実空間の領域を示す領域名を入力する。領域としては、国、都道府県、市区町村等が採用できる。対象地域入力欄１８０２に領域名が入力されると、情報処理装置１００は、入力された領域名が示す領域内の実店舗のうち、最安価格で該当する商品を提供する１の実店舗を選択する。
【０２２５】
図２５の例では、対象地域入力欄１８０２に「守口市」が入力されているため、守口市において、最安価格で該当する商品を提供する１の実店舗が選択される。そのため、商品情報表示欄１８０９には、「守口市内の最安値  １本△△円」と記載されている。
【０２２６】
目的地設定ボタン１８０５は、商品情報表示欄１８０９に表示された１の実店舗の位置情報を目的地としてナビゲーション装置６００に設定させるためのボタンである。視聴者によりリモコン３００が操作されて目的地設定ボタン１８０５が選択されると、映像提示装置２００は、目的地設定要求を情報処理装置１００に送信し、情報処理装置１００からナビゲーション装置６００に提示情報が送信される。提示情報を受信したナビゲーション装置６００は提示情報に含まれる実店舗の位置情報を目的地として設定する。
【０２２７】
このように、図２５に示す提示画面では、目的地設定ボタン１８０５が設けられているため、視聴者はナビゲーション装置６００を操作することなく、実店舗の位置情報をナビゲーション装置の目的地として設定できる。
【０２２８】
図２６は、図２４に示す提示画面の更に別の変形例を示した図である。図２２、図２３のフローチャートでは、視聴者はリモコン３００を用いて興味指示を入力したが、携帯端末５００を用いて興味指示を入力してもよい。この場合、提示画面は映像提示装置２００ではなく、携帯端末５００に表示されてもよい。図２６に示す提示画面は、この態様を採用した場合に携帯端末５００に表示される提示画面である。
【０２２９】
基本的には図１７に示す表示画面と同じであるが、購入ボタン１９０６に代えてナビ設定ボタン２００６が設けられている点、距離入力欄２００４及び実店舗の店舗情報表示欄２０１０が追加されている点が相違する。商品画像表示欄２００１、商品情報表示欄２００２、数量入力欄２００３、金額表示欄２００５、予約ボタン２００７、お気に入り登録ボタン２００８、及び閉じるボタン２００９は、図１７の同一名称の欄及びボタンと同じである。
【０２３０】
ナビ設定ボタン２００６は、提示情報をナビゲーション装置６００に送信するためのボタンである。ナビ設定ボタン２００６が携帯端末５００を操作して選択されると、携帯端末５００は、ナビ設定要求を情報処理装置１００に送信し、情報処理装置１００からナビゲーション装置６００に提示情報が送信される。
【０２３１】
距離入力欄２００４は、視聴者が実際に来店してもよいと考える実店舗の距離条件が入力される。詳細は、図２４に示す距離表示欄１７０２と同じである。
【０２３２】
店舗情報表示欄２０１０には、該当する商品を提供する実店舗に関す情報が表示されている。
【０２３３】
図２７は、ナビゲーション装置６００が表示する表示画面の一例を示した図である。なお、図２７の表示画面は、ナビゲーション装置６００がオンすると自動的に実店舗の位置情報を目的地として設定する態様を採用した場合に表示される。この設定は、例えば、図２５において、視聴者が目的地設定ボタン１８０５を選択することで行われる。
【０２３４】
図２７に示すように表示画面は、ナビ画面２１０１を備える。ナビ画面２１０１には、ナビゲーション装置６００の現在位置を示すマーカ２１０２が地図画像にオーバラップして表示されている。また、ナビ画面２１０１には、目的地として設定された実店舗に関する情報を表示する実店舗表示欄２１０３がオーバラップして表示されている。
【０２３５】
図２７の例では、実店舗表示欄２１０３には、「テレビから設定した「ＸＸ商店」を目的地に設定しています。」との文言が記載され、視聴者はナビゲーション装置６００をオンさせた際に、映像提示装置２００で興味指示を入力した商品を提供する商品提供者の実店舗に目的地が設定されていることを一目で認識できる。
【０２３６】
また、実店舗表示欄２１０３には、商品の画像と、商品名とが表示され、視聴者は興味指示を入力した商品を一目で認識できる。更に、実店舗表示欄２１０３には、該当する商品に対し、全視聴者による興味指示の入力回数が表示されている。これにより、視聴者は、この商品がどの程度人気がある商品なのかを一目で認識できる。
【０２３７】
図２８は、ナビゲーション装置６００により表示される目的地設定画面の一例を示す図である。図２８に示す目的地設定画面は、視聴者に目的地の設定を促し、目的地を設定させる態様を採用した場合に表示される。この設定は、例えば、図２４又は図２６において、視聴者がナビ設定ボタン１７０５又はナビ設定ボタン２００６を選択することで行われる。
【０２３８】
予約リスト２２０３は、予約リストに登録された商品の商品情報が表示されている。この予約リスト２２０３に表示される商品は、例えば、視聴者が図２４又は図２６において、予約ボタン１７０６又は予約ボタン２００７を選択することで予約リストに登録された商品である。
【０２３９】
図２８の例では、予約した商品が３つあり、そのうち、２つの商品がある実店舗Ｚ１で提供され、残り１つの商品が実店舗Ｚ２で提供されるため、予約リスト２２０３には実店舗Ｚ１に対応する目的地設定欄２２０６と実店舗Ｚ２に対応する目的地設定欄２２０７とが表示されている。
【０２４０】
目的地設定欄２２０６、２２０７にはそれぞれ目的地設定ボタン２２０４、２２０５が設けられている。視聴者は実店舗Ｚ１の位置情報を目的地として設定する場合、目的地設定ボタン２２０４を選択する。目的地設定ボタン２２０４が選択されるとナビゲーション装置６００は実店舗Ｚ１の位置情報を目的地として設定する。また、視聴者は実店舗Ｚ２の位置情報を目的地として設定する場合、目的地設定ボタン２２０５を選択する。目的地設定ボタン２２０５が選択されるとナビゲーション装置６００は実店舗Ｚ２の位置情報を目的地として設定する。
【０２４１】
図２９は、ナビゲーション装置６００に表示される目的地設定画面の他の一例を示す図である。図２９の目的地設定画面は、例えば、視聴者が自動車の運転中に、予約した商品を提供する実店舗の周辺を走行した場合に表示される。図２９に示す目的地設定画面には、左半分にナビ画面２３０１、右半分に商品情報表示欄２３０３が設けられている。
【０２４２】
ナビ画面２３０１には、地図画像上にナビゲーション装置６００の現在位置を示すマーカ２３０２がオーバラップして表示されている。商品情報表示欄２３０３には、例えば上部に「周辺のお勧めスポット」との見出しが記載され、目的地の設定が促されている。
【０２４３】
商品情報表示欄２３０３には、視聴者が予約した商品の商品情報、その商品を提供する１の実店舗の実店舗情報が表示されている。また、実店舗情報には、実店舗の名称、住所に加えて、現在位置から実店舗までの距離が表示されている。これにより、せっかく実店舗の近所まで来たので実店舗に来店しようとする意欲を視聴者に喚起させることができる。
【０２４４】
また、商品情報表示欄２３０３の下側には目的地設定ボタン２３０４及び閉じるボタン２３０５が設けられている。視聴者により目的地設定ボタン２３０４が選択されると、ナビゲーション装置６００は、商品情報表示欄２３０３に表示された実店舗を目的地として設定する。閉じるボタン２３０５が選択されると、ナビゲーション装置６００は商品情報表示欄２３０３を消す。
【０２４５】
図３０は、ナビゲーション装置６００に表示される目的地設定画面の更に他の一例を示す図である。図３０の目的地設定画面は、例えば、興味指示を入力したが、予約或いはナビ設定をしなかった商品を提供する実店舗の周辺を走行した場合に表示される。
【０２４６】
図２９との相違点は、商品の価格が表示されていない点にある。ナビ画面２４０１、商品情報表示欄２４０３、目的地設定ボタン２４０４、及び閉じるボタン２４０５は図２９の同一名称の欄及びボタンと同じである。商品を予約していない場合、商品の価格を表示すると却って視聴者の商品の購入意欲を減退させる虞があるため、図３０では、商品の価格を非表示にしている。
【０２４７】
なお、実施の形態２、３では、視聴者は距離条件を入力するため、情報処理装置１００は、この距離条件を考慮に入れた競売表示画面を生成し、商品提供者サーバ４００に送信してもよい。図３１は、距離条件を考慮に入れた競売表示画面の一例を示す図である。図９との相違点は、「店舗からの距離」、「押下数」の欄が更に設けられている点にある。「店舗からの距離」は視聴者が入力した距離条件が登録されている。「押下数」の欄には、視聴者が入力した距離条件に応じた興味指示の入力回数が登録されている。例えば、ＱＱ洗濯機においては、距離条件を１ｋｍ以内として興味指示を入力した視聴者数が４１人であることが示されている。また、ＱＱ洗濯機においては、距離条件を２ｋｍ以内として興味指示を入力した視聴者数が３４１人であることが示されている。また、最安価格は、押下数に応じた最安価格が登録されている。例えば、押下数が４１人であれば、Ａ社はＱＱ洗濯機を１７５、０００円で提供することが示され、押下数が３４１人であれば、Ａ社はＱＱ洗濯機を１３７、０００円で提供することが示されている。
【０２４８】
この競売提示画面では、距離条件に応じた押下数が表示されているため、各商品提供者は各商品に対する視聴者の購入意欲を確認できる。例えば、２ｋｍ以上の押下数が多ければ、該当する商品を購入する場合において、視聴者は商品提供場所までの距離をさほど重視しておらず、該当する商品への視聴者の購入意欲は高いと判断できる。また、１ｋｍ以内の押下数が多ければ、該当する商品を購入するに際して視聴者は商品提供場所までの距離を重視していると判断できる。
【産業上の利用可能性】
【０２４９】
本開示によれば、例えば、テレビ等の映像提示装置に種々のサービスを提供する技術において有用である。
【符号の説明】
【０２５０】
１００  情報処理装置
１０１  放送波取得部
１０２  特定部
１０３  選択部
１０４  提示部
１０５  登録部
１０６  商品提供者情報記憶部
１０７  計数部
１０８  視聴者数提示部
１０９  位置情報記憶部
１１０  視聴者情報記憶部
１２０  通信部
２００  映像提示装置
３００  リモコン
３０１  興味指示ボタン
４００  商品提供者サーバ
５００  携帯端末
６００  ナビゲーション装置
【図１】
2015135670.tif 000003
【図２】
2015135670.tif 000004
【図３】
2015135670.tif 000005
【図４】
2015135670.tif 000006
【図５】
2015135670.tif 000007
【図６】
2015135670.tif 000008
【図７】
2015135670.tif 000009
【図８】
2015135670.tif 000010
【図９】
2015135670.tif 000011
【図１０】
2015135670.tif 000012
【図１１】
2015135670.tif 000013
【図１２】
2015135670.tif 000014
【図１３】
2015135670.tif 000015
【図１４】
2015135670.tif 000016
【図１５】
2015135670.tif 000017
【図１６】
2015135670.tif 000018
【図１７】
2015135670.tif 000019
【図１８】
2015135670.tif 000020
【図１９】
2015135670.tif 000021
【図２０】
2015135670.tif 000022
【図２１】
2015135670.tif 000023
【図２２】
2015135670.tif 000024
【図２３】
2015135670.tif 000025
【図２４】
2015135670.tif 000026
【図２５】
2015135670.tif 000027
【図２６】
2015135670.tif 000028
【図２７】
2015135670.tif 000029
【図２８】
2015135670.tif 000030
【図２９】
2015135670.tif 000031
【図３０】
2015135670.tif 000032
【図３１】
2015135670.tif 000033